(57)【要約】【課題】小型化する。【解決手段】小切手処理機１は、小切手ＣＫを受入方向に沿って受け入れる入金部４と、入金部４と接続され小切手ＣＫを搬送する第１搬送路３７と、第１搬送路３７に設けられ、搬送される小切手ＣＫを搬送幅方向に幅寄せするアライナ部５と、第１搬送路３７と接続され、小切手ＣＫを搬送する第２搬送路３８と、第２搬送路３８において前後方向に対し搬送方向が反転した箇所よりも小切手ＣＫの下流側に設けられ、小切手ＣＫに取引情報の印字を行うスキャナ部６と、スキャナ部６を挟んで第１搬送路３７と反対側において第２搬送路３８と接続され、小切手ＣＫを一時的に保留すると共に繰り出す一時保留部７とを設ける。【選択図】図１
2017182659.tif 000002
【特許請求の範囲】
【請求項１】
紙葉状の媒体を受入方向に沿って受け入れる受入部と、
前記受入部と接続され前記媒体を搬送する第１搬送路と、
前記第１搬送路に設けられ、搬送される前記媒体を搬送幅方向に幅寄せする幅寄せ部と、
前記第１搬送路と接続され、前記媒体を搬送する第２搬送路と、
前記第２搬送路において前記受入方向に対し搬送方向が反転した箇所よりも下流側に設けられ、前記媒体に取引情報を印字する取引情報印字部と、
前記取引情報印字部を挟んで前記第１搬送路と反対側において前記第２搬送路と接続され、前記媒体を一時的に保留すると共に繰り出す一時保留部と
を有する媒体処理装置。
【請求項２】
前記第１搬送路と前記第２搬送路とは略Ｃ字形状に配置されている
請求項１に記載の媒体処理装置。
【請求項３】
前記受入部から前記第１搬送路及び前記第２搬送路を順次搬送され前記一時保留部に保留された前記媒体を、前記第２搬送路及び前記第１搬送路を順次逆方向に搬送させて前記受入部へ搬送し利用者に返却する制御部
をさらに有する請求項１に記載の媒体処理装置。
【請求項４】
前記第１搬送路と前記第２搬送路との間に設けられ前記媒体の搬送経路を切り替える第１切替部を介して、前記第２搬送路から前記媒体を搬送され、利用済みの前記媒体を収納する媒体収納庫
をさらに有する請求項１に記載の媒体処理装置。
【請求項５】
前記媒体収納庫は、前記取引情報印字部を挟んで前記幅寄せ部の反対側に設けられる
請求項４に記載の媒体処理装置。
【請求項６】
前記第２搬送路において前記取引情報印字部を挟んで前記幅寄せ部に対し前記媒体の搬送方向の逆側に設けられ前記媒体の搬送経路を切り替える第２切替部と、
前記第２切替部を介して前記第２搬送路と接続され、利用者が取り忘れた媒体が収納される取忘れ回収部と
をさらに有する請求項１に記載の媒体処理装置。
【請求項７】
前記取忘れ回収部は、前記取引情報印字部を挟んで前記幅寄せ部の反対側に設けられる
請求項６に記載の媒体処理装置。
【請求項８】
前記幅寄せ部は、前記受入部の後方に設けられ、
前記取引情報印字部は、前記幅寄せ部の上方又は下方に設けられ、
前記一時保留部は、前記受入部に対し、前記幅寄せ部に対する前記取引情報印字部側と同じ側に設けられる
請求項１に記載の媒体処理装置。
【請求項９】
前記受入部は、外部から取り込んだ前記媒体の束である媒体束の上に、利用者に返却する前記媒体を集積させて排出する
請求項１に記載の媒体処理装置。
【請求項１０】
前記第２搬送路に設けられ前記媒体の画像を読み取る画像読取部をさらに有し、
前記取引情報印字部は、前記一時保留部に一時的に保留されてから繰り出され収納時搬送方向に沿って前記第２搬送路を搬送された前記媒体に取引情報の印字を行い、
前記画像読取部は、前記収納時搬送方向に沿って搬送され前記取引情報の印字が行われた前記媒体の画像を収納時画像として読み取る
請求項１に記載の媒体処理装置。
【請求項１１】
前記収納時画像における前記取引情報印字部において行われた印字の濃度が所定の濃度よりも薄い場合に、前記取引情報印字部におけるインク残量が所定値以下であると判定する制御部
をさらに有する請求項１０に記載の媒体処理装置。
【請求項１２】
前記制御部は、前記収納時画像における、前記取引情報印字部において行われた印字の濃度を、所定の判定濃度値と比較して、該判定濃度値よりも低い場合に、前記取引情報印字部のインクが終了する直前の状態であるインクニアエンドと判定する
請求項１１に記載の媒体処理装置。
【請求項１３】
前記制御部は、前記インクニアエンドと判定してから所定枚数又は所定文字数だけ前記取引情報印字部において印字を行ったあと、前記取引情報印字部のインクが終了したインクエンドと判定する
請求項１２に記載の媒体処理装置。
【請求項１４】
前記制御部は、前記収納時画像における、前記取引情報印字部において行われた印字の濃度を、前記判定濃度値よりも低い所定のエンド判定濃度値と比較して、該エンド判定濃度値よりも低い場合に、前記取引情報印字部のインクが終了したインクエンドと判定する
請求項１２に記載の媒体処理装置。
【請求項１５】
前記画像読取部は、前記受入部から読取時搬送方向に沿って前記第２搬送路を搬送され前記取引情報印字部によって未だ印字が行われていない前記媒体の画像を読取時画像として読み取り、
前記制御部は、前記読取時画像と前記収納時画像との差分を算出することにより、前記収納時画像における印字の濃度を求める
請求項１１に記載の媒体処理装置。
【請求項１６】
前記収納時画像における前記取引情報印字部において行われた印字の形状が所定の形状と異なっている場合に、前記取引情報印字部において印字不良が発生したと判定する制御部
をさらに有する請求項１０に記載の媒体処理装置。
【請求項１７】
前記画像読取部は、前記受入部から読取時搬送方向に沿って前記第２搬送路を搬送され前記取引情報印字部によって未だ印字が行われていない前記媒体の画像を読取時画像として読み取り、
前記制御部は、前記読取時画像と前記収納時画像との差分を算出することにより、前記収納時画像における印字の形状を求める
請求項１６に記載の媒体処理装置。
【請求項１８】
前記制御部は、前記インクエンドと判定した場合、取引を終了させる
請求項１３又は請求項１４に記載の媒体処理装置。
【請求項１９】
前記制御部は、前記印字不良と判定した場合、取引を終了させる
請求項１６に記載の媒体処理装置。
【請求項２０】
前記取引情報印字部は、前記媒体の裏面に取引情報を印刷するプリンタを有する
請求項１に記載の媒体処理装置。
【請求項２１】
前記取引情報印字部は、前記媒体の表面に取引情報を押印するスタンプをさらに有する
請求項２０に記載の媒体処理装置。
【請求項２２】
前記取引情報を未印字の状態と前記取引情報を印字後の両方の画像を取引記録としてデータ保管する
請求項１に記載の媒体処理装置
【発明の詳細な説明】
【技術分野】
【０００１】
本発明は媒体処理装置に関し、例えば小切手や有価証券の入金機に適用して好適なものである。
【背景技術】
【０００２】
従来、金融機関等で使用される小切手受付装置においては、利用者との取引内容に応じて、例えば利用者に小切手を入金させる入金取引や、利用者へ小切手を返却する返却取引等の各種取引を行う。このような小切手受付装置として、例えば小切手の入出金に関する処理を行う小切手処理機を搭載したものがある。この小切手受付装置としては、例えば利用者との間で小切手の授受を行う入金部と、小切手を搬送する搬送部と、投入された小切手の画像を取得し、小切手の磁気文字情報を読み取るスキャナ部と、投入された小切手の裏面に、小切手が取引に使用されたことを示す印字を行う印字部と、投入された小切手を一時的に保留する一時保留部と、小切手を収納する小切手収納庫とを有するものが提案されている（例えば、特許文献１参照）。
【先行技術文献】
【特許文献】
【０００３】
【特許文献１】米国特許第８５０５９１２号明細書
【発明の概要】
【発明が解決しようとする課題】
【０００４】
そのような小切手処理機においては、小型化することが望まれている。
【０００５】
本発明は以上の点を考慮してなされたもので、小型化し得る媒体処理装置を提案しようとするものである。
【課題を解決するための手段】
【０００６】
かかる課題を解決するため本発明の媒体処理装置においては、紙葉状の媒体を受入方向に沿って受け入れる受入部と、受入部と接続され媒体を搬送する第１搬送路と、第１搬送路に設けられ、搬送される媒体を搬送幅方向に幅寄せする幅寄せ部と、第１搬送路と接続され、媒体を搬送する第２搬送路と、第２搬送路において受入方向に対し搬送方向が反転した箇所よりも下流側に設けられ、媒体に取引情報を印字する取引情報印字部と、取引情報印字部を挟んで第１搬送路と反対側において第２搬送路と接続され、媒体を一時的に保留すると共に繰り出す一時保留部とを設けるようにした。
【０００７】
本発明は、第１搬送路と第２搬送路との少なくとも一部を上下方向に重なるように配置し、搬送路が前後方向に占める空間を小さくできる。
【発明の効果】
【０００８】
本発明によれば、第１搬送路と第２搬送路との少なくとも一部を上下方向に重なるように配置し、搬送路が前後方向に占める空間を小さくできる。かくして本発明は、小型化し得る媒体処理装置を実現できる。
【図面の簡単な説明】
【０００９】
【図１】小切手処理機の構成を示す左側面図である。
【図２】小切手の構成を示す平面図である。
【図３】アライナ部の構成を示す平面図である。
【図４】テーパローラの構成を示す斜視図である。
【図５】分離部の構成を示す斜視図である。
【図６】分離動作における分離部の構成を示す右側面図である。
【図７】集積動作における分離部の構成を示す右側面図である。
【図８】挿入動作における入金部の構成を示す左側面図である。
【図９】入金束搬送動作における入金部の構成を示す左側面図である。
【図１０】分離動作における入金部の構成を示す左側面図である。
【図１１】二重検知リトライ動作における入金部の構成を示す左側面図である。
【図１２】集積動作における入金部の構成（１）を示す左側面図である。
【図１３】集積動作における入金部の構成（２）を示す左側面図である。
【図１４】返却束搬送動作における入金部の構成を示す左側面図である。
【図１５】入金読取処理における小切手の流れ（６）を示す左側面図である。
【図１６】入金読取処理における小切手の流れ（７）を示す左側面図である。
【図１７】入金読取処理における小切手の流れ（８）を示す左側面図である。
【図１８】入金読取処理における小切手の流れ（９）を示す左側面図である。
【図１９】入金読取処理における小切手の流れ（１０）を示す左側面図である。
【図２０】入金読取処理における小切手の流れ（１１）を示す左側面図である。
【図２１】入金読取処理における小切手の流れ（１２）を示す左側面図である。
【図２２】入金読取処理における小切手の流れ（１３）を示す左側面図である。
【図２３】入金読取処理における小切手の流れ（１４）を示す左側面図である。
【図２４】入金収納処理における小切手の流れ（１）を示す左側面図である。
【図２５】入金収納処理における小切手の流れ（２）を示す左側面図である。
【図２６】入金収納処理における小切手の流れ（３）を示す左側面図である。
【図２７】入金収納処理における小切手の流れ（４）を示す左側面図である。
【図２８】返却処理における小切手の流れ（１）を示す左側面図である。
【図２９】返却処理における小切手の流れ（２）を示す左側面図である。
【図３０】返却処理における小切手の流れ（３）を示す左側面図である。
【図３１】返却処理における小切手の流れ（４）を示す左側面図である。
【図３２】返却処理における小切手の流れ（５）を示す左側面図である。
【図３３】返却処理における小切手の流れ（６）を示す左側面図である。
【発明を実施するための形態】
【００１０】
以下、発明を実施するための形態（以下実施の形態とする）について、図面を用いて説明する。
【００１１】
［１．実施の形態］
［１−１．小切手処理機の構成］
図１に示すように、小切手処理機１は、箱状の筐体２を中心に構成されており、利用者との間で入金処理等の小切手に関する取引を行う小切手受付装置の受付機筐体（図示せず）内に配され、小切手に関する種々の処理を行う。以下では、小切手処理機１のうち利用者が対峙する側を前側とし、その反対を後側とし、該前側に対峙した利用者から見て左及び右をそれぞれ左側及び右側とし、さらに上側及び下側を定義して説明する。
【００１２】
筐体２内には、小切手処理機１を制御する制御部３と、利用者との間で小切手を授受する入金部４と、小切手を各部へ搬送する搬送路３６と、小切手を所定の基準面へ幅寄せするアライナ部５と、小切手の画像及び磁気情報を読み取ると共に取引情報の印字を行うスキャナ部６と、小切手を一時的に収納する一時保留部７と、利用者が入金部４から取り忘れた小切手を回収して格納する取忘れ回収部８と、利用済みの小切手を収納する２個の小切手収納庫９（９Ａ及び９Ｂ）とが設けられている。また筐体２内には、入金部４、アライナ部５、スキャナ部６、一時保留部７、取忘れ回収部８及び小切手収納庫９を支える図示しないフレームが設けられている。
【００１３】
制御部３は、図示しないＣＰＵ（Central Processing Unit）を中心に構成されており、図示しないＲＯＭ（Read Only Memory）やフラッシュメモリ等から所定のプログラムを読み出して実行することにより、入金処理等の種々の処理を行う。また制御部３は、内部にＲＡＭ（Random Access Memory）、ハードディスクドライブやフラッシュメモリ等でなる記憶部を有しており、この記憶部に種々の情報を記憶させる。また制御部３は、筐体２内部に設けられた各センサの監視や、各アクチュエータの駆動や、各種判断等を行うと共に、小切手受付装置全体を制御する主制御部との通信を行う。
【００１４】
搬送路３６は、第１搬送路３７、第２搬送路３８、第３搬送路３９、一時保留部搬送路４０及び取忘れ回収部搬送路４１により構成されており、図中に実線で示すように筐体２内の各部を接続し、回転するローラや小切手を案内するガイド等が適宜配置されており、小切手の長手方向を進行方向に沿わせて搬送する。
【００１５】
また搬送路３６には、複数の切替部が配置されている。各切替部は、ブレードと呼ばれる部材（図中三角形で示す）及びその周囲に配置された複数のローラにより構成されている。ブレードは、左右方向に複数個が並び、且つ左右方向から見て楔形に形成されており、回転して傾斜方向を変化させることで小切手の搬送方向を切り替える。各ローラは、小切手の搬送路を挟んで互いに対向するように配置されている。この切替部は、制御部３の制御に従い、各小切手の搬送先に応じてブレードの傾斜方向を変化させると共に各ローラを所定の回転方向へ回転させることにより、小切手の搬送方向を適宜切り替えて所望の搬送先へ搬送する。
【００１６】
ここで図２に示すように、小切手ＣＫは長方形状の紙葉状の媒体であり、磁気インク文字認識（ＭＩＣＲ（Magnetic ink character recognition）文字）である磁気文字ＭＩＣＲが印刷されている。この磁気文字ＭＩＣＲは、小切手ＣＫ毎に固有の文字列であり、小切手ＣＫが識別されるために用いられる。この磁気文字ＭＩＣＲは、小切手ＣＫの一方の長辺である磁気文字側長辺ＭＳ寄りに配置され、小切手ＣＫの長手方向に沿う複数の文字により構成されている。以下では小切手ＣＫにおいて磁気文字ＭＩＣＲが配置されている領域を磁気文字領域ＡＭＩＣＲとも呼ぶ。磁気文字領域ＡＭＩＣＲと小切手ＣＫの一方の短辺との間には、文字列が配置されない領域である第１空白領域ＡＷ１が小切手ＣＫの長手方向に沿って配置されている。また磁気文字領域ＡＭＩＣＲと小切手ＣＫの他方の短辺との間には、文字列が配置されない領域である第２空白領域ＡＷ２が小切手ＣＫの長手方向に沿って配置されている。これらの磁気文字領域ＡＭＩＣＲ、第１空白領域ＡＷ１及び第２空白領域ＡＷ２は、小切手ＣＫにおける位置が規格により定められている。以下では第１空白領域ＡＷ１と第２空白領域ＡＷ２とをまとめて空白領域ＡＷとも呼ぶ。小切手ＣＫは、磁気文字ＭＩＣＲが印刷された面が小切手表面として扱われ、該小切手表面の紙面の逆側が小切手裏面として扱われる。
【００１７】
入金部４（図１）は、筐体２内における前上部、すなわち入金処理時の小切手ＣＫの搬送方向の最上流に位置している。以下では入金処理においてまず行われる、入金された小切手ＣＫの磁気情報及び画像を読み取る入金読取処理における小切手ＣＫ及び小切手束ＣＫＢの搬送方向を入金読取時搬送方向とも呼ぶ。入金部４の前端には、複数の小切手ＣＫが紙面を上下方向に向けて束状に積み重ねられた媒体束としての小切手束ＣＫＢを利用者から受け取り後方の束搬送部１０へ受け渡すと共に、束搬送部１０を前方へ搬送されてきた小切手束ＣＫＢを利用者に引き渡す入出金口４Ｆが形成されている。この入出金口４Ｆは、小切手受付装置の受付機筐体に接続されることにより、利用者から前後方向に沿って後方へ向かって挿入された小切手束ＣＫＢを受け取り後方の束搬送部１０へ受け渡すと共に、束搬送部１０を前方へ搬送されてきた小切手束ＣＫＢを利用者に引き渡す。
【００１８】
また入出金口４Ｆには、該入出金口４Ｆの下側のガイドを形成する入出金口下側ガイドの上側において図示しないシャッタモータにより上下に移動するシャッタ４Ｓが設けられている。入金部４は、シャッタ４Ｓを上昇させることにより入出金口４Ｆを開放し利用者と小切手ＣＫを授受可能にすると共に、シャッタ４Ｓを下降させることにより入出金口４Ｆを閉塞する。
【００１９】
入金部４におけるシャッタ４Ｓの後方近傍、すなわち入金読取時搬送方向の下流側近傍には、シャッタ部残留センサ１１が配置されている。シャッタ部残留センサ１１は、例えば光を発光する発光素子とこの光を受光する受光素子とが搬送経路を挟んで対向するように配置されており、該搬送経路を搬送される小切手束ＣＫＢにより光が遮光されたか否かを検知し、その検知結果を制御部３へ送出する。制御部３は、シャッタ部残留センサ１１から供給された検知結果及びその時間的な変化等を基に、小切手束ＣＫＢが入出金口４Ｆ近傍に残留しているか否かを認識する。
【００２０】
入金部４は、利用者から入金された小切手束ＣＫＢ及び利用者へ受け渡す小切手束ＣＫＢを収容し搬送する束搬送部１０を内部に有している。束搬送部１０は、上下一対の上側搬送ベルト１０Ｕ及び下側搬送ベルト１０Ｄを有しており、図示しない束搬送部回転モータにより回転駆動される。上側搬送ベルト１０Ｕは、前端近傍、中央部及び後端近傍にそれぞれ配置されたローラの周囲に掛け回されシャッタ４Ｓから分離部１５まで延びる無端ベルトであり、このローラが回転することにより、その下面を水平方向に沿った前後方向に沿って走行させる。説明の都合上、以下では、上側搬送ベルト１０Ｕにおける下面部分の走行方向を、該上側搬送ベルト１０Ｕの走行方向と見なす。下側搬送ベルト１０Ｄは、上側搬送ベルト１０Ｕと同様の無端ベルトであり、シャッタ４Ｓから分離部１５まで延び、その上面を上側搬送ベルト１０Ｕの下面と対向させている。また下側搬送ベルト１０Ｄは、図示しない束搬送部昇降モータの駆動力により把持ポジションと載置ポジションとの間で上下動する。以下では、下側搬送ベルト１０Ｄにおける上面部分の走行方向を、該下側搬送ベルト１０Ｄの走行方向と見なす。束搬送部１０には、上側搬送ベルト１０Ｕと下側搬送ベルト１０Ｄとにより上下方向から挟まれ小切手束ＣＫＢの長手方向を進行方向として、主に前後方向（水平方向）に沿って搬送させるような直線状の搬送路が形成されている。
【００２１】
この束搬送部１０は、入金処理及び返却処理において下側搬送ベルト１０Ｄの上面を入出金口４Ｆにおける入出金口下側ガイドの上端面よりも下側に位置させることにより載置ポジションとし、該下側搬送ベルト１０Ｄに小切手束ＣＫＢが引っ掛からないよう、上側搬送ベルト１０Ｕと下側搬送ベルト１０Ｄとの間に小切手束ＣＫＢを取り込む。また束搬送部１０は、下側搬送ベルト１０Ｄを載置ポジションから上昇させることにより把持ポジションとし、小切手束ＣＫＢを上側搬送ベルト１０Ｕと下側搬送ベルト１０Ｄとで上下方向から把持し、上側搬送ベルト１０Ｕ及び下側搬送ベルト１０Ｄを回転させることにより、小切手束ＣＫＢを前後方向に沿って搬送する。以下では、入金読取処理等における、左側面視における上側搬送ベルト１０Ｕの時計回りの回転方向及び下側搬送ベルト１０Ｄの反時計回りの回転方向を取込回転方向とも呼び、返却処理等における、左側面視における上側搬送ベルト１０Ｕの反時計回りの回転方向及び下側搬送ベルト１０Ｄの時計回りの回転方向を排出回転方向とも呼ぶ。
【００２２】
入金部４におけるシャッタ部残留センサ１１の後方、すなわち入金読取時搬送方向の下流側近傍には、金属検知センサ１２が配置されている。金属検知センサ１２は、金属の有無を検知し、その検知結果を制御部３へ送出する。制御部３は、金属検知センサ１２から供給された検知結果を基に、小切手束ＣＫＢにコインが載っていたりホチキス等の金属が付着していたりしている否かを認識する。
【００２３】
入金部４における金属検知センサ１２の後方、すなわち入金読取時搬送方向の下流側近傍には、挿入検知センサ１３が配置されている。挿入検知センサ１３は、シャッタ部残留センサ１１と同様に構成されており、小切手束ＣＫＢの搬送状態を検知して、その検知結果を制御部３へ送出する。制御部３は、挿入検知センサ１３から供給された検知結果を基に、小切手束ＣＫＢの挿入状態を確認し、束搬送部１０が把持可能な位置まで小切手束ＣＫＢが挿入されたか否かを認識する。
【００２４】
入金部４における束搬送部１０の後方には、ピッカプレス１６が配置されている。ピッカプレス１６は、図示しないピッカプレスモータにより図１０（Ｂ）に示す分離ポジションと図８（Ａ）に示すホームポジションとの間で上下動し、入金部４から小切手ＣＫを１枚ずつ分離してアライナ部５へ繰り出す分離動作においては、分離ポジションとなり小切手束ＣＫＢをピッカローラ１９に押し付ける。一方ピッカプレス１６は、束搬送部１０からピッカプレス１６へ小切手束ＣＫＢを搬送する入金束搬送動作と、ピッカプレス１６から束搬送部１０へ小切手束ＣＫＢを搬送する返却束搬送動作と、アライナ部５から入金部４へ小切手ＣＫを搬送して集積させる集積動作とにおいては、分離ポジションからホームポジションへ下方向に移動することにより、その上面を、把持ポジションの下側搬送ベルト１０Ｄの上面よりも下側に位置させ、小切手ＣＫの搬送経路から退避し、小切手ＣＫが引っ掛からないようにする。
【００２５】
入金部４における後端で且つピッカプレス１６の後上方であり束搬送部１０に対する入金読取時搬送方向の下流側には、分離部１５が設けられている。分離部１５は、フィードローラ１７及びリバースローラ１８により、小切手束ＣＫＢから小切手ＣＫを１枚ずつ分離する分離ゲートを構成している。ピッカローラ１９は、小切手束ＣＫＢの最上部の１枚の小切手ＣＫに当接しつつ回転することにより、フィードローラ１７及びリバースローラ１８により構成された分離ゲートへ小切手ＣＫを送り込む。以下では、入金読取処理等における、左側面視におけるピッカローラ１９及びフィードローラ１７の時計回りの回転方向を取込回転方向とも呼び、返却処理等における、左側面視におけるピッカローラ１９及びフィードローラ１７の反時計回りの回転方向とリバースローラ１８の時計回りの回転方向を集積回転方向とも呼ぶ。
【００２６】
リバースローラ１８のシャフトであるリバースローラシャフトには、部分舌片２３が回転可能に固定されている。この部分舌片２３は、図５に示す部分舌片モータ２４により駆動され、図８（Ａ）に示すホームポジションを基準とした部分舌片モータ２４の送り量が制御部３により監視されることにより、回転位置が制御される。この部分舌片２３は、図８（Ａ）に示すホームポジションと図１２（Ａ）に示す集積ポジションとの間で回動し、分離動作においてホームポジションとなり、分離される小切手ＣＫの搬送経路から退避する。一方部分舌片２３は、集積動作において集積ポジションとなり集積動作時に入金部４にある未分離又は集積済みの小切手束ＣＫＢの上に当接すると共に、小切手ＣＫが分離部１５を通過した後に集積回転方向に１回転することにより、アライナ部５から入金部４へ送り出された小切手ＣＫの後端部分を下方向へ向けて叩き落とす。
【００２７】
分離部１５は、制御部３の制御に基づき、分離モード及び集積モードといった２種類の動作モードを切り替えて動作する。すなわち分離部１５は、分離モードにおいて、部分舌片２３をホームポジションとし、ピッカローラ１９及びフィードローラ１７を取込回転方向へ回転させることにより、ピッカプレス１６上の小切手束ＣＫＢから小切手ＣＫを１枚ずつに分離して後方へ送り出し、繰出取込口４Ｂから第１搬送路３７に受け渡す。また分離部１５は、集積モードにおいて、部分舌片２３を集積ポジションとし、ピッカローラ１９、フィードローラ１７及びリバースローラ１８を集積回転方向へ回転させることにより、小切手ＣＫを集積方向に搬送して分離部１５を通過させ、上述したように部分舌片２３を動作させることにより、第１搬送路３７から受け渡された小切手ＣＫを、未分離の小切手束ＣＫＢの上へ載置させる。
【００２８】
入金部４における束搬送部１０の後方、すなわち入金読取時搬送方向の下流側には、束搬送検知センサ１４が配置されている。束搬送検知センサ１４は、シャッタ部残留センサ１１と同様に構成されており、小切手束ＣＫＢの搬送状態を検知して、その検知結果を制御部３へ送出する。制御部３は、束搬送検知センサ１４から供給された検知結果を基に、小切手束ＣＫＢの搬送方向先端を監視し、束搬送検知センサ１４からの小切手ＣＫの送り量を監視することにより、分離部１５の分離動作に適した分離位置まで小切手束ＣＫＢが搬送されたか否かを認識する。
【００２９】
入金部４におけるフィードローラ１７及びリバースローラ１８の後方、すなわち入金読取時搬送方向の下流側には、分離部残留センサ３４が配置されている。分離部残留センサ３４は、シャッタ部残留センサ１１と同様に構成されており、小切手ＣＫの搬送状態を検知して、その検知結果を制御部３へ送出する。制御部３は、分離部残留センサ３４から供給された検知結果を基に、小切手ＣＫが分離部１５内に残留しているか否かを認識する。
【００３０】
第１搬送路３７は、分離部１５の繰出取込口４Ｂと接続され、筐体２内における上部を前後方向に沿って後方へ向かって進行し、筐体２内の後部において屈曲して下方へ向かってスキャナ部６の後方まで進行し、第１切替部４４と接続されている。
【００３１】
アライナ部５は、筐体２内における後上部であり且つ入金部４の後方、すなわち入金部４の分離部１５に対し入金読取時搬送方向の下流側に位置している。アライナ部５は、分離部１５の繰出取込口４Ｂと第１切替部４４との間を結ぶような、第１搬送路３７の一部である搬送経路が形成されており、この搬送経路に沿って前側から順に、搬送ローラ２８、複数個のテーパローラ２６及び駆動ローラ２９並びに搬送ローラ３０が配置されている。またこの搬送経路には、図３に示すように該搬送経路の右端において該搬送経路に沿う図示しないガイドにより、小切手ＣＫにおける搬送方向と紙面に直交する方向とに直交する搬送幅方向の基準位置となる基準面２７が形成されている。
【００３２】
搬送ローラ２８は、アライナ部５における分離部１５側において第１搬送路３７を挟んで対向して配置された一対のローラにより構成されており、図示しないアライナモータで駆動されることにより、分離部１５から繰り出された小切手ＣＫを引き抜きアライナ部５内へ搬送すると共に、アライナ部５内から分離部１５へ小切手ＣＫを搬送する。以下では、入金読取処理等において入金読取時搬送方向へ小切手ＣＫを搬送させる搬送ローラ２８、テーパローラ２６、駆動ローラ２９及び搬送ローラ３０の回転方向を取込回転方向とも呼び、返却処理等において返却時搬送方向へ小切手ＣＫを搬送させる搬送ローラ２８、テーパローラ２６、駆動ローラ２９及び搬送ローラ３０の回転方向を戻し回転方向とも呼ぶ。
【００３３】
テーパローラ２６は、ゴム等の弾性部材で形成され、図４に示すように円錐台形状であり、搬送幅方向（左右方向）に沿って基準面２７に向かうに連れて回転軸に対し周側面が半径方向の外側に向かって広がるよう傾斜する傾斜面が形成されている。またテーパローラ２６は、第１搬送路３７に沿って複数個配置されており、それぞれが搬送経路を挟んでアライナモータにより駆動される駆動ローラ２９と対向している。このテーパローラ２６は、小切手ＣＫに当接しつつ駆動ローラ２９に連れて回転することにより、小切手ＣＫを右側、すなわち基準面２７側に向かって搬送幅方向に移動させ、小切手ＣＫの幅寄せを行う。
【００３４】
搬送ローラ３０（図１）は、アライナ部５における第１切替部４４側において第１搬送路３７を挟んで対向して配置された一対のローラにより構成されており、図示しないアライナモータで駆動されることにより、アライナ部５内から第１切替部４４へ小切手ＣＫを搬送すると共に、第１切替部４４から繰り出された小切手ＣＫをアライナ部５内へ搬送する。
【００３５】
アライナ部５における搬送ローラ２８の後方近傍、すなわち入金読取時搬送方向の下流側近傍には、第１センサ３２が配置されている。第１センサ３２は、シャッタ部残留センサ１１と同様に構成されており、小切手ＣＫの搬送状態を検知して、その検知結果を制御部３へ送出する。制御部３は、第１センサ３２から供給された検知結果を基に、小切手ＣＫがアライナ部５に搬送されてきたこと等を検出する。
【００３６】
アライナ部５における第１センサ３２の後方、すなわち入金読取時搬送方向の下流側近傍には、二重検知センサ３３が配置されている。二重検知センサ３３は、超音波発信センサと受信センサとのペアになっており、小切手ＣＫが分離部１５で小切手束ＣＫＢが１枚ずつの小切手ＣＫに分離されて搬送されてきていることを確認して、その確認結果を制御部３へ送出する。制御部３は、二重検知センサ３３から供給された確認結果を基に、小切手ＣＫが重送して搬送されているか否かを認識する。
【００３７】
アライナ部５における搬送ローラ３０の上方近傍、すなわち入金読取時搬送方向の上流側近傍には、アライナ完了検知センサ３５が配置されている。アライナ完了検知センサ３５は、シャッタ部残留センサ１１と同様に構成されており、小切手ＣＫの搬送状態を検知して、その検知結果を制御部３へ送出する。制御部３は、アライナ完了検知センサ３５から供給された検知結果を基に、基準面２７側に小切手ＣＫが幅寄せされていることを検出する。
【００３８】
第１切替部４４は、中心に位置するブレード４８と、該ブレード４８の周囲に位置するローラ（図示せず）とにより構成されている。ブレード４８は、小切手ＣＫの搬送方向を２通りに切り替える。具体的に第１切替部４４は、上側のアライナ部５と前側のスキャナ部６とを結び第１搬送路３７と第２搬送路３８との間で小切手ＣＫを搬送させる搬送経路を形成するか、下側の後中搬送部６７と前側のスキャナ部６とを結び第３搬送路３９と第２搬送路３８との間で小切手ＣＫを搬送させる搬送経路を形成するかを切り替える。
【００３９】
第２搬送路３８は、第１切替部４４と接続され、スキャナ部６内を前後方向に沿って前方へ向かって進行し、スキャナ部６の前方において屈曲して下方へ向かってスキャナ部６と一時保留部７と取忘れ回収部８との間まで進行し、第２切替部４５と接続されている。
【００４０】
スキャナ部６は、筐体２における後側であり且つアライナ部５の下方、すなわちアライナ部５に対し入金読取時搬送方向の下流側に位置している。また第１搬送路３７と第２搬送路３８とは側面視で英大文字の「Ｃ」のような形状、或いは英大文字の「Ｕ」の上側を前方へ向けて回転させたような形状にレイアウトされており、入金部４から入金された小切手ＣＫは、入金部４及びアライナ部５を後方へ向かって搬送され、アライナ部５及び第１切替部４４を通過して、搬送方向が反転し前方へ向かって搬送され、スキャナ部６の後受渡口６Ｂに到達する。このため、それぞれ小切手表面が上方向を、小切手裏面が下方向を向いた状態で入金部４に挿入された小切手束ＣＫＢの小切手ＣＫは、表裏反転し、それぞれ小切手表面が下方向を、小切手裏面が上方向を向いた状態でスキャナ部６の後受渡口６Ｂに到達する。
【００４１】
スキャナ部６は、内部に複数種類のセンサが組み込まれており、搬送される小切手ＣＫの画像及び磁気情報を読み取りその読み取り結果を制御部３へ送出すると共に、小切手ＣＫに対し利用済みであることを表す裏書印字及びスタンプ押印等を行う。
【００４２】
具体的にスキャナ部６内には、後側の後受渡口６Ｂと前側の前受渡口６Ｆとの間を前後方向に沿って直線状に結ぶような、第２搬送路３８の一部である搬送経路が形成されており、この搬送経路に沿って後側から順に、小切手ＣＫの磁気文字ＭＩＣＲを磁化させる永久磁石（図示せず）、磁気文字読取部トリガセンサ５７、磁気文字読取部ヘッド５２、画像読取部５３、取引情報印字部６６及び印字トリガセンサ５８が配置されている。またスキャナ部６内には、これらの各部の間に、図示しないスキャナ部モータにより駆動される搬送ローラ５６が配置されている。以下では、入金読取処理等において入金読取時搬送方向へ小切手ＣＫを搬送させる搬送ローラ５６の回転方向を取込回転方向とも呼び、返却処理等において返却時搬送方向へ小切手ＣＫを搬送させる搬送ローラ５６の回転方向を返却回転方向とも呼ぶ。
【００４３】
磁気文字読取部トリガセンサ５７は、スキャナ部６における後受渡口６Ｂの最近傍の搬送ローラ５６の前方近傍、すなわち入金読取時搬送方向の下流側近傍に配置されている。磁気文字読取部トリガセンサ５７は、シャッタ部残留センサ１１と同様に構成されており、小切手ＣＫの搬送状態を検知して、その検知結果を制御部３へ送出する。制御部３は、磁気文字読取部トリガセンサ５７から供給された検知結果を基に、後受渡口６Ｂを介してスキャナ部６に小切手ＣＫが搬送されたか否かを認識する。
【００４４】
磁気文字読取部ヘッド５２は、磁気センサでなり、搬送経路上を搬送される小切手ＣＫの磁気を検知し、その検知結果を制御部３へ送出する。制御部３は、磁気文字読取部ヘッド５２から供給された検知結果を基に、永久磁石により磁化された小切手ＣＫの磁気文字ＭＩＣＲを読み取り、小切手ＣＫが真正なもの（いわゆる真券）又は偽造されたもの（いわゆる偽券）の何れであるかを判断する。
【００４５】
画像読取部５３は、搬送経路を挟んで対向する例えばコンタクトイメージセンサ（ＣＩＳ：Contact Image Sensor）の撮像素子である裏面画像読取部５３Ｒ及び表面画像読取部５３Ｓを有している。裏面画像読取部５３Ｒは、搬送経路の上側に配置されており、搬送経路を搬送される小切手ＣＫの小切手裏面を撮像して画像データを生成し、制御部３へ送出する。表面画像読取部５３Ｓは、搬送経路の下側に配置されており、搬送経路を搬送される小切手ＣＫの小切手表面を撮像して画像データを生成し、制御部３へ送出する。このように画像読取部５３は、小切手ＣＫの両面をそれぞれ撮像して画像データを生成し、これらを制御部３へ送出する。
【００４６】
取引情報印字部６６は、スタンプ５４及びプリンタ５５により構成されており、小切手ＣＫに利用済みであることを示す取引情報を印字する。スタンプ５４は、搬送経路の下側に配置されており、利用済みであることを表す取引情報を示すスタンプを小切手表面に押印する（以下ではこれをスタンプ押印とも呼ぶ）。プリンタ５５は、例えばインクジェットプリンタであり、搬送経路の上側に配置されており、利用済みであることを表す取引情報を小切手裏面に印字する（以下ではこれを裏書印字とも呼ぶ）。
【００４７】
印字トリガセンサ５８は、スキャナ部６における前受渡口６Ｆの最近傍の搬送ローラ５６の後方近傍、すなわち入金読取時搬送方向の上流側近傍に配置されている。印字トリガセンサ５８は、磁気文字読取部トリガセンサ５７と同様に構成されており、小切手ＣＫの搬送状態を検知して、その検知結果を制御部３へ送出する。制御部３は、印字トリガセンサ５８から供給された検知結果を基に、前受渡口６Ｆを介してスキャナ部６に小切手ＣＫが搬送されたか否かを認識し、裏書印字及びスタンプ押印の制御を行う。
【００４８】
一時保留部搬送路４０は、第２切替部４５と接続され、前方へ向かって進行し、一時保留部７と接続されている。取忘れ回収部搬送路４１は、第２切替部４５と接続され後方へ向かって進行し、取忘れ回収部８と接続されている。
【００４９】
第２切替部４５は、中心に位置するブレード４９と、該ブレード４９の周囲に位置するローラ（図示せず）とにより構成されている。ブレード４９は、小切手ＣＫの搬送方向を２通りに切り替える。具体的に第２切替部４５は、上側のスキャナ部６と後側の取忘れ回収部８とを結び第２搬送路３８から取忘れ回収部搬送路４１へ小切手ＣＫを搬送させる搬送経路を形成するか、上側のスキャナ部６と前側の一時保留部７とを結び第２搬送路３８と一時保留部搬送路４０との間で小切手ＣＫを搬送させる搬送経路を形成するかを切り替える。
【００５０】
一時保留部７は、筐体２内における前側であり且つ入金部４の下方、すなわちスキャナ部６に対し入金読取時搬送方向の下流側に位置しており、後方上側に形成された受渡口（図示せず）と内部との間で小切手ＣＫを双方向へ搬送する。一時保留部７は、いわゆるテープエスクロ方式を採用しており、図示しない一時保留部モータにより駆動される円筒状のドラムの周側面に複数枚の小切手ＣＫをテープと共に巻き付けることで該小切手ＣＫを収納し、またこの周側面から該テープを引き剥がすことで小切手ＣＫを繰り出す。
【００５１】
また一時保留部搬送路４０における一時保留部７の受渡口の近傍には、一時保留部受渡センサ６０が配置されている。一時保留部受渡センサ６０は、シャッタ部残留センサ１１と同様に構成されており、小切手ＣＫの搬送状態を検知して、その検知結果を制御部３へ送出する。制御部３は、一時保留部受渡センサ６０から供給された検知結果を基に、小切手ＣＫが一時保留部７の受渡口に位置しているか否かを認識する。
【００５２】
一時保留部７は、内部に一時保留部残留センサ６１が配置されている。一時保留部残留センサ６１は、シャッタ部残留センサ１１と同様に構成されており、小切手ＣＫの搬送状態を検知して、その検知結果を制御部３へ送出する。制御部３は、一時保留部残留センサ６１から供給された検知結果を基に、小切手ＣＫが一時保留部７内に残留しているか否かを認識する。
【００５３】
一時保留部７で一旦保留された小切手ＣＫは、その後の入金収納処理及び返却処理においては搬送方向が反転されてスキャナ部６に搬送される。このためスキャナ部６は、入金読取処理においては一時保留部７に対する小切手ＣＫの搬送方向の上流側に位置するものの、入金収納処理及び返却処理においては一時保留部７に対する小切手ＣＫの搬送方向の下流側に位置することとなる。以下では入金収納処理における小切手ＣＫの搬送方向を入金収納時搬送方向とも呼び、返却処理における小切手ＣＫ及び小切手束ＣＫＢの搬送方向を返却時搬送方向とも呼ぶ。第２搬送路３８及び一時保留部搬送路４０においては、入金読取時搬送方向と入金収納時搬送方向とは逆方向となっている。また入金部４、第１搬送路３７、第２搬送路３８及び一時保留部搬送路４０においては、入金読取時搬送方向と返却時搬送方向とは逆方向となっている。
【００５４】
取忘れ回収部８は、筐体２内における後側でありスキャナ部６の下方且つ一時保留部７の後方、すなわちスキャナ部６に対し入金読取時搬送方向の下流側に位置しており、前後方向に長い直方体状に形成されると共に内部に小切手ＣＫを集積して収納する空間を有している。換言すれば取忘れ回収部８は、スキャナ部６を挟んでアライナ部５の反対側である下側に設けられ、第２搬送路３８においてスキャナ部６を挟んでアライナ部５に対し小切手ＣＫの搬送方向の逆側に設けられ小切手ＣＫの搬送経路を切り替える第２切替部４５を介して第２搬送路３８と接続されている。因みに取忘れ回収部８は、上下方向の長さが小切手収納庫９の半分程度となっている。この取忘れ回収部８は、返却処理において利用者に返却しようとした小切手ＣＫを利用者が入金部４から取り忘れた場合に、該小切手ＣＫが取忘れ回収部搬送路４１により搬送されて来ると、該小切手ＣＫを内部に回収して収納する。
【００５５】
また取忘れ回収部搬送路４１における取忘れ回収部８の受渡口の近傍には、取忘回収部受渡センサ６４が配置されている。取忘回収部受渡センサ６４は、シャッタ部残留センサ１１と同様に構成されており、小切手ＣＫの搬送状態を検知して、その検知結果を制御部３へ送出する。制御部３は、取忘回収部受渡センサ６４から供給された検知結果を基に、小切手ＣＫが取忘れ回収部８の受渡口に位置しているか否かを認識する。
【００５６】
後中搬送部６７は、第３搬送路３９を形成している。この第３搬送路３９は、第１切替部４４と接続され、筐体２内における後部であり取忘れ回収部８の後方を上下方向に沿って下方へ向かって取忘れ回収部８の下方まで進行し、第３切替部４６と接続されている。
【００５７】
第３切替部４６は、中心に位置するブレード５０と、該ブレード５０の周囲に位置するローラ（図示せず）とにより構成されている。ブレード５０は、小切手ＣＫの搬送方向を２通りに切り替える。具体的に第３切替部４６は、上側のスキャナ部６と下側の後下搬送部６８とを結び第２搬送路３８から小切手収納庫第１搬送路４２Ａへ小切手ＣＫを搬送させる搬送経路を形成するか、上側のスキャナ部６と前側の下搬送部６９とを結び第２搬送路３８から小切手収納庫第２搬送路４２Ｂへ小切手ＣＫを搬送させる搬送経路を形成するかを切り替える。
【００５８】
後下搬送部６８は、小切手収納庫第１搬送路４２Ａを形成している。この小切手収納庫第１搬送路４２Ａは、第３切替部４６と接続され、下方へ向かって進行し、小切手収納庫９Ａと接続されている。下搬送部６９は、小切手収納庫第２搬送路４２Ｂを形成している。この小切手収納庫第２搬送路４２Ｂは、第３切替部４６と接続され、小切手収納庫９Ａの上方を前後方向に沿って前方へ向かって進行し、小切手収納庫９Ｂと接続されている。
【００５９】
媒体収納庫としての小切手収納庫９（９Ａ及び９Ｂ）は、筐体２内における最も下側であり取忘れ回収部８及び一時保留部７の下方、すなわちスキャナ部６に対し入金収納時搬送方向の下流側に前後方向に並んで位置している。換言すれば小切手収納庫９は、スキャナ部６及び取忘れ回収部８を挟んでアライナ部５の反対側である下側に設けられている。小切手収納庫９Ａ及び９Ｂは、何れも同様に構成されており、直方体状に形成されると共に内部に小切手ＣＫを集積して収納する空間を有している。因みに小切手収納庫９は、上下方向の長さが筐体２の３分の１程度となっている。この小切手収納庫９は、スキャナ部６により利用可能であると判断され該スキャナ部６の取引情報印字部６６により取引情報が印字された小切手ＣＫが小切手収納庫第１搬送路４２Ａ又は小切手収納庫第２搬送路４２Ｂにより搬送されて来ると、該小切手ＣＫを内部に収納する。
【００６０】
［１−２．分離部の構成］
図５、図６及び図７に示すように、分離部１５は、リバースローラ１８、フィードローラ１７及びピッカローラ１９が、分離部モータ２０から伝達された駆動力により回転する。なお図６及び図７においては、右側面視の回転方向を記載する。このフィードローラ１７とリバースローラ１８とは、分離ゲートを構成し、分離部モータ２０により、アライナ部５方向へ小切手ＣＫを小切手束ＣＫＢから１枚ずつ分離して繰り出す。
【００６１】
リバースローラ１８は、左右方向に延びるリバースローラシャフト１８Ｓのほぼ中央部に固定されている。このリバースローラシャフト１８Ｓの右端部には右側リバースローラギア１８ＧＲと左側リバースローラギア１８ＧＬとが取り付けられている。右側リバースローラギア１８ＧＲにはワンウェイクラッチが装着されており、反時計回りへ回転させる駆動力が該右側リバースローラギア１８ＧＲに伝達した際にのみリバースローラシャフト１８Ｓへ反時計回りの回転力を伝達することにより、該リバースローラシャフト１８Ｓを反時計回りへ回転させる。また左側リバースローラギア１８ＧＬにはワンウェイクラッチが装着されており、反時計回りへ回転させる駆動力が該左側リバースローラギア１８ＧＬに伝達した際にのみリバースローラシャフト１８Ｓへ反時計回りの回転力を伝達することにより、該リバースローラシャフト１８Ｓを反時計回りへ回転させる。
【００６２】
さらにリバースローラシャフト１８Ｓにおけるリバースローラ１８の左右両側には、部分舌片２３が固定されている。この部分舌片２３は、部分舌片モータ２４により回転され、部分舌片ホームポジションセンサ２５により回転位置が検出される。部分舌片２３は、弾性部材であるゴム又はエラストマーで形成された羽根が回転方向のうち部分的に削除されて構成されている。この部分舌片２３は、分離部１５から束搬送部１０へ放出された小切手ＣＫに当接し摩擦負荷を与えて減速させ、リバースローラ１８とは独立して反時計回りに回転することにより、小切手ＣＫの後端部分を下方向へ向けて叩き落とす。
【００６３】
フィードローラ１７は、左右方向に延びるフィードローラシャフト１７Ｓのほぼ中央部においてリバースローラ１８と対向する位置に固定されている。このフィードローラシャフト１７Ｓの右端部にはフィードローラギア１７Ｇが取り付けられている。フィードローラギア１７Ｇは、外側ギア１７Ｇｏと、該外側ギア１７Ｇｏよりも外径が小さく該外側ギア１７Ｇｏの左側に位置する内側ギア１７Ｇｉとが一体化した２段ギアであり、外側ギア１７Ｇｏは右側リバースローラギア１８ＧＲと、内側ギア１７Ｇｉは２段アイドルギア２１ＧＬにおいて外径が大きい右側の外側ギア２１ＧＬｏとそれぞれ噛み合っている。またフィードローラギア１７Ｇは、ワンウェイクラッチが装着されており、反時計回りへ回転させる駆動力が該フィードローラギア１７Ｇに伝達した際にのみフィードローラシャフト１７Ｓへ反時計回りへの回転力を伝達することにより、該フィードローラシャフト１７Ｓを反時計回りへ回転させる。またフィードローラ１７は、フィードローラギア１７Ｇに装着されたワンウェイクラッチにより、第１搬送路３７に引き抜かれる小切手ＣＫに伴って取込回転方向に空転することで、引き抜き負荷を軽減する。
【００６４】
ピッカローラ１９は、左右方向に延びるピッカローラシャフト１９Ｓのほぼ中央部においてフィードローラ１７と対向する位置に固定されている。このピッカローラシャフト１９Ｓの右端部にはピッカローラギア１９Ｇがピッカローラシャフト１９Ｓと一緒に回転するように固定されている。ピッカローラ１９にはワンウェイクラッチが装着されており、反時計回りへ回転させる駆動力がピッカローラシャフト１９Ｓへ伝達した際にのみ該ピッカローラ１９に反時計回りの回転力を伝達することにより、該ピッカローラシャフト１９Ｓを反時計回りへ回転させる。
【００６５】
フィードローラギア１７Ｇの外側ギア１７Ｇｏとピッカローラギア１９Ｇとの間には該外側ギア１７Ｇｏと該ピッカローラギア１９Ｇと噛み合うアイドルギア２１ＧＲが設けられている。フィードローラギア１７Ｇの内側ギア１７Ｇｉと左側リバースローラギア１８ＧＬとの間には該内側ギア１７Ｇｉと該左側リバースローラギア１８ＧＬと噛み合う２段アイドルギア２１ＧＬが設けられている。また２段アイドルギア２１ＧＬにおける右側の大きな外側ギア２１ＧＬｏとフィードローラギア１７Ｇの内側ギア１７Ｇｉとが噛み合い、２段アイドルギア２１ＧＬにおける左側の小さな内側ギア２１ＧＬｉとリバースローラギア１８Ｇの外側ギア１７Ｇｏとが噛み合う。
【００６６】
図６に示すように分離動作においては、分離部モータ２０が出力軸を反時計回りに回転させ、右側リバースローラギア１８ＧＲを時計回りに回転させる。このとき、ワンウェイクラッチにより右側リバースローラギア１８ＧＲはリバースローラシャフト１８Ｓへは駆動力を伝達しないため、リバースローラ１８へは駆動力は伝達されない。また右側リバースローラギア１８ＧＲは、フィードローラギア１７Ｇの外側ギア１７Ｇｏに駆動力を伝達させることによりフィードローラギア１７Ｇを反時計回りに回転させる。この駆動力はアイドルギア２１ＧＲを介してピッカローラギア１９Ｇに伝達され、ピッカローラ１９は反時計回りに回転する。フィードローラギア１７Ｇは、右側リバースローラギア１８ＧＲ及び外側ギア１７Ｇｏを介し伝達された駆動力を、内側ギア１７Ｇｉ、外側ギア２１ＧＬｏ及び内側ギア２１ＧＬｉを順次介して左側リバースローラギア１８ＧＬに伝達する。これにより左側リバースローラギア１８ＧＬは反時計回りに回転する。このとき、ワンウェイクラッチにより左側リバースローラギア１８ＧＬはリバースローラシャフト１８Ｓへ反時計回りの駆動力を伝達するため、リバースローラ１８は反時計回りに回転する。
【００６７】
一方図７に示すように集積動作においては、分離部モータ２０が出力軸を時計回りに回転させ、右側リバースローラギア１８ＧＲを反時計回りに回転させる。このとき、ワンウェイクラッチにより右側リバースローラギア１８ＧＲはリバースローラシャフト１８Ｓへ反時計回りの駆動力を伝達するため、リバースローラ１８は反時計回りに回転する。また右側リバースローラギア１８ＧＲは、フィードローラギア１７Ｇに駆動力を伝達させることによりフィードローラギア１７Ｇを時計回りに回転させる。このとき、ワンウェイクラッチによりフィードローラギア１７Ｇはフィードローラシャフト１７Ｓへは駆動力を伝達しないため、フィードローラ１７へは駆動力は伝達されない。この駆動力はアイドルギア２１ＧＲを介してピッカローラギア１９Ｇに伝達され、ピッカローラシャフト１９Ｓは時計回りに回転する。このとき、ピッカローラ１９のワンウェイクラッチによりピッカローラ１９へは駆動力は伝達されない。フィードローラギア１７Ｇは、右側リバースローラギア１８ＧＲ及び外側ギア１７Ｇｏを介し伝達された駆動力を、内側ギア１７Ｇｉ、外側ギア２１ＧＬｏ及び内側ギア２１ＧＬｉを順次介して左側リバースローラギア１８ＧＬに伝達する。これにより左側リバースローラギア１８ＧＬは時計回りに回転する。このとき、ワンウェイクラッチにより左側リバースローラギア１８ＧＬは反時計回りのみ伝達するため、リバースローラ１８へは駆動力は伝達されない。
【００６８】
［１−３．入金処理及び返却処理］
次に、小切手処理機１における小切手ＣＫの入金処理及び返却処理について、図１、図８乃至図３３を用いてそれぞれ詳細に説明する。なお図１５乃至図３３においては小切手処理機１を模式的に表した上で小切手束ＣＫＢ及び小切手ＣＫの流れを示す。
【００６９】
［１−４．入金処理］
まず、利用者（顧客）が小切手処理機１へ小切手ＣＫを入金する入金処理を行う場合について説明する。入金処理において小切手処理機１は、制御部３の制御に基づき、入金された小切手ＣＫの磁気情報及び画像を読み取る入金読取処理を先に行い、利用された小切手ＣＫに取引情報の印字を行った後に適切な収納箇所へ搬送して収納する入金収納処理を次に行う。
【００７０】
［１−４−１．入金読取処理］
［１−４−１−１．挿入動作］
具体的に制御部３は、例えば利用者により操作表示部（図示せず）を介して入金処理を開始する旨の操作入力を受け付けると、入金読取処理を開始し、図８（Ａ）に示すようにそれぞれ束搬送部１０を載置ポジションに、ピッカプレス１６をホームポジションに、部分舌片２３をホームポジションにすることにより、小切手束ＣＫＢを受け入れる準備を行う。続いて制御部３は、入金部４のシャッタ４Ｓを上昇させることにより入出金口４Ｆを開放させ、図８（Ｂ）に示すように入金部４へ小切手束ＣＫＢを投入させる。
【００７１】
このとき制御部３は、シャッタ部残留センサ１１（図８（Ａ））の検知結果が暗状態になっているにも関わらず挿入検知センサ１３の検知結果が明状態のまま、すなわちシャッタ部残留センサ１１により小切手束ＣＫＢを検出しているにも関わらず挿入検知センサ１３により小切手束ＣＫＢを検出していないまま設定時間が経過した場合、小切手束ＣＫＢを基準面２７側に寄せて奥まで挿入する旨を示すガイダンス画面を操作表示部に表示することにより、より一層奥まで小切手束ＣＫＢを挿入させることを利用者に提示する。利用者により挿入された小切手束ＣＫＢの搬送方向先端を図８（Ｂ）に示すように挿入検知センサ１３により検出すると、制御部３は、図８（Ｃ）に示すように束搬送部１０を把持ポジションにすることにより小切手束ＣＫＢを把持させると共に取込回転方向へ回転させ該小切手束ＣＫＢを後方へ搬送させる。
【００７２】
［１−４−１−２．入金束搬送動作］
このとき制御部３は、束搬送検知センサ１４により小切手束ＣＫＢの搬送方向先端を監視し、図９（Ａ）に示すように該束搬送検知センサ１４により小切手束ＣＫＢの搬送方向先端を検出してから該小切手束ＣＫＢの送り量を監視することにより、図９（Ｂ）に示すように分離部１５での分離動作に適した分離位置まで小切手束ＣＫＢを搬送させる。
【００７３】
［１−４−１−３．分離動作］
次に制御部３は、操作表示部を介して小切手束ＣＫＢの取り込みを開始する操作入力を受け付けると、図１０（Ａ）に示すように入金部４のシャッタ４Ｓを下降させることにより入出金口４Ｆを閉塞させる。続いて制御部３は、図１０（Ｂ）に示すようにピッカプレス１６を上昇させ分離ポジションとすると共に束搬送部１０を載置ポジションとし、図１１（Ａ）に示すように分離部１５を分離モードで動作させることにより、該分離部１５の小切手束ＣＫＢを１枚ずつに分離して取り込み、下流に位置するアライナ部５の第１搬送路３７へ順次受け渡す。
【００７４】
このとき制御部３は、アライナモータを正転させることによりアライナ部５の搬送ローラ２８を取込回転方向へ回転させ、分離部１５から小切手ＣＫを引き抜く。ここでフィードローラ１７は、フィードローラギア１７Ｇに装着されたワンウェイクラッチにより、第１搬送路３７に引き抜かれる小切手ＣＫによって取込回転方向に空転することにより、引き抜き負荷を軽減する。またピッカローラ１９は、ボス部に装着されたワンウェイクラッチにより、第１搬送路３７に引き抜かれる小切手ＣＫによって取込回転方向に空転することにより、引き抜き負荷を軽減する。なお制御部３は、ピッカプレス１６を分離ポジションから下降させることにより、引き抜き負荷をさらに軽減させても良い。
【００７５】
［１−４−１−４．金属検知リジェクト動作］
小切手束ＣＫＢが挿入され分離部１５まで搬送される間、制御部３は、金属検知センサ１２により、装置障害につながるコインやホチキス等の金属が小切手束ＣＫＢに混入しているか否かを検出する。シャッタ４Ｓが開放されてから挿入検知センサ１３が小切手束ＣＫＢを検出するまでの間に金属を検出した場合、制御部３は、挿入検知センサ１３が小切手束ＣＫＢを検出しても小切手束ＣＫＢの入金束搬送動作は行わず、小切手束ＣＫＢが利用者により入金部４から引き抜かれたか否かをシャッタ部残留センサ１１により監視する。また制御部３は、金属を検出した旨を示すガイダンス画面を操作表示部に表示することにより、金属が混入したことを利用者に提示すると共に、小切手束ＣＫＢが利用者により入金部４から引き抜かれたことをシャッタ部残留センサ１１により検出した場合、ガイダンス画面の表示を中止し、小切手束ＣＫＢの挿入監視を再開する。
【００７６】
［１−４−１−５．二重検知リトライ動作］
小切手ＣＫが分離部１５からアライナ部５へ搬送される際、制御部３は、二重検知センサ３３により、複数枚の小切手ＣＫ同士が重なって搬送される重送が発生しているか否か検出する。重送を検出した場合、制御部３は二重検知リトライ動作を行う。具体的に制御部３は、分離部モータ２０及びアライナモータを停止させる。これによりピッカローラ１９及びフィードローラ１７を停止させ、アライナ部５から入金部４へ小切手ＣＫを戻す戻し処理をまず行う。制御部３は、図１１（Ｂ）に示すようにピッカプレス１６を下降させてホームポジションにすることにより、小切手ＣＫを小切手束ＣＫＢの上に戻す空間を確保する。続いて制御部３は、搬送ローラ２８を戻し回転方向へ回転させると共に図１１（Ｃ）に示すように分離部１５を集積モードで動作させることにより、アライナ部５から小切手ＣＫを小切手束ＣＫＢの上へ戻す。このとき制御部３は、第１センサ３２及び分離部残留センサ３４により小切手ＣＫの位置を監視し、図１１（Ｄ）に示すように小切手ＣＫが分離位置に戻ったところで分離部モータ２０及びアライナモータを停止させることによりフィードローラ１７、リバースローラ１８及びピッカローラ１９を停止させる。
【００７７】
その後制御部３は、図１０（Ｂ）に示したようにピッカプレス１６を上昇させ分離ポジションとすると共に束搬送部１０を載置ポジションとし、図１１（Ａ）に示すようにアライナモータを取り込み方向に回転させ、分離部１５を分離モードで動作させることにより、図１１（Ａ）に示すように該分離部１５の小切手束ＣＫＢを再び１枚ずつに分離して取り込み、アライナ部５の第１搬送路３７へ受け渡すリトライ処理を、正常に１枚ずつ繰り出せるまで所定回数だけ行う。
【００７８】
一方、二重検知センサ３３により重送が検出されなかった正常状態の場合、制御部３は、テーパローラ２６により基準面２７に小切手ＣＫを幅寄せさせつつ図１５に示すように第１搬送路３７に沿って小切手ＣＫを搬送させる。このとき第１切替部４４は、アライナ部５とスキャナ部６とを結び第１搬送路３７と第２搬送路３８との間で小切手ＣＫを搬送させる搬送経路を形成しているため、小切手ＣＫは、図２３に示すように、第１搬送路３７から第１切替部４４を介し第２搬送路３８へ搬送される。
【００７９】
［１−４−１−６．アライナ不良リトライ動作］
小切手ＣＫがアライナ部５内を搬送されている際、制御部３は、図１６に示すようにアライナ完了検知センサ３５により、基準面２７側に小切手ＣＫが幅寄せされているか否かを検出する。このとき幅寄せが不十分であるアライナ不良が発生していることを検出した場合、制御部３は、アライナ不良リトライ動作を行う。具体的に制御部３は、アライナモータ及びスキャナ部モータを停止させることにより搬送ローラ２８、駆動ローラ２９及び搬送ローラ３０（図１）を停止させ、スキャナ部モータを停止させることにより搬送ローラ５６を停止させ、アライナ部５から入金部４へ向かって小切手ＣＫを戻す戻し処理をまず行う。制御部３は、アライナモータ及びスキャナ部モータを逆転させることにより駆動ローラ２９及びテーパローラ２６並びに搬送ローラ２８、３０及び５６を戻し回転方向へ回転させ、アライナモータの送り量を監視しつつ、図１７に示すように予め設定された所定距離だけ第１搬送路３７に沿って小切手ＣＫを分離部１５に向かって搬送させた後、スキャナ部モータを停止させることにより搬送ローラ５６を停止させ、アライナモータを停止させることにより駆動ローラ２９及びテーパローラ２６並びに搬送ローラ２８、３０及び５６を停止させ、小切手ＣＫを停止させる。その後制御部３は、スキャナ部モータおよびアライナモータを正転させることにより駆動ローラ２９及びテーパローラ２６並びに搬送ローラ２８、３０及び５６を取込回転方向へ回転させ、図１８に示すように小切手ＣＫを第１切替部４４に向かって再び搬送させるリトライ処理を、小切手ＣＫが幅寄せされるまで、所定回数だけ行う。
【００８０】
アライナ部５は、アライナ不良リトライ動作において戻し処理で小切手ＣＫを入金部４へ向かって搬送している際も、リトライ処理で小切手ＣＫを第１切替部４４へ向かって再度搬送している際も、テーパローラ２６（図４）により、小切手ＣＫを基準面２７に幅寄せする。このためアライナ部５は、アライナ不良リトライ動作を繰り返し行うことにより、幅寄せされにくい小切手ＣＫであっても幅寄せすることができる。
【００８１】
一方、幅寄せが十分であることをアライナ完了検知センサ３５により検出した場合、制御部３は、搬送ローラ３０により小切手ＣＫを第１切替部４４を介してスキャナ部６まで搬送させる。このとき第１切替部４４は、アライナ部５とスキャナ部６とを結び第１搬送路３７と第２搬送路３８との間で小切手ＣＫを搬送させる搬送経路を形成しているため、小切手ＣＫは、図１９に示すように、第１搬送路３７から第１切替部４４を介し第２搬送路３８へ搬送されスキャナ部６の後受渡口６Ｂ（図１）へ到達する。このとき制御部３は、スキャナ部６内のスキャナ部モータを、搬送ローラ５６（図１）がアライナ部５と同一速度で小切手ＣＫを搬送するように制御する。
【００８２】
［１−４−１−７．読取動作］
磁気文字読取部トリガセンサ５７で小切手ＣＫの入金読取時搬送方向の先端を検出することによりスキャナ部６に小切手ＣＫが搬送されたことを認識すると、制御部３は、スキャナ部モータを正転させることにより搬送ローラ５６を取込回転方向に回転させ、第２搬送路３８に沿って小切手ＣＫを前受渡口６Ｆ（図１）へ向かって搬送させつつ、磁気文字読取部トリガセンサ５７と磁気文字読取部ヘッド５２との距離と、小切手ＣＫの搬送速度とから算出したウエイト時間だけ待機した後、磁気文字読取部ヘッド５２により、小切手ＣＫの磁気文字ＭＩＣＲの読み取りを開始し、所定距離だけ小切手ＣＫを搬送させた後、磁気文字ＭＩＣＲの読み取りを終了する。
【００８３】
続いて制御部３は、図２０に示すように第２搬送路３８に沿って小切手ＣＫをさらに前受渡口６Ｆ（図１）へ向かって搬送させつつ、磁気文字読取部トリガセンサ５７と画像読取部５３との距離と、小切手ＣＫの搬送速度とから算出したウエイト時間だけ、磁気文字読取部トリガセンサ５７で小切手ＣＫを検出した時点から待機した後、裏面画像読取部５３Ｒ及び表面画像読取部５３Ｓにより、それぞれ小切手裏面及び小切手表面の画像を読み取り、読取時画像としての入金読取時裏面画像データ及び入金読取時表面画像データとして記憶部に記憶させる。
【００８４】
［１−４−１−８．磁気文字読取不良リトライ動作］
ここで、磁気文字読取部ヘッド５２による磁気文字ＭＩＣＲの読取結果が不良である磁気文字読取不良が発生していると検出した場合、制御部３は、磁気文字読取不良リトライ動作を行う。具体的に制御部３は、スキャナ部モータを停止させることにより搬送ローラ５６を停止させ、スキャナ部からアライナ部５へ向かって小切手ＣＫを戻す戻し処理をまず行う。制御部３は、スキャナ部モータ及びアライナモータを逆転させることにより搬送ローラ５６を戻し回転方向へ回転させ、スキャナ部モータの送り量を監視しつつ、図２１に示すように予め設定された所定距離だけ第２搬送路３８及び第１搬送路３７に沿って小切手ＣＫをアライナ部５に向かって磁気文字読取部トリガセンサ５７よりも入金読取時搬送方向の上流側まで小切手ＣＫを搬送させた後、スキャナ部モータ及びアライナモータを停止させることにより搬送ローラ５６を停止させ、小切手ＣＫを停止させる。
【００８５】
その後制御部３は、スキャナ部モータ及びアライナモータを正転させることにより搬送ローラ５６を取込回転方向へ回転させ、図２２に示すように小切手ＣＫを磁気文字読取部ヘッド５２に向かって再び搬送させるリトライ処理を、所定回数だけ行う。
【００８６】
一方、磁気文字読取部ヘッド５２による磁気文字ＭＩＣＲの読取結果が正常であることを検出した場合、制御部３は、搬送ローラ５６により小切手ＣＫを第２切替部４５まで搬送させる。このとき制御部３は、スタンプ５４及びプリンタ５５において小切手ＣＫに対し取引情報の印字を行うことなく、第２切替部４５まで搬送させる。
【００８７】
［１−４−１−９．一時保留部搬送動作］
このとき第２切替部４５は、スキャナ部６と一時保留部７とを結び第２搬送路３８と一時保留部搬送路４０との間で小切手ＣＫを搬送させる搬送経路を形成しているため、小切手ＣＫは、図２３に示すように、第２搬送路３８から第２切替部４５を介し一時保留部搬送路４０へ搬送され一時保留部７へ搬送される。
【００８８】
制御部３は、印字トリガセンサ５８、一時保留部受渡センサ６０及び一時保留部残留センサ６１により小切手ＣＫを監視しつつ、スキャナ部モータ及び一時保留部モータを正転させて小切手ＣＫを一時保留部７内の所定の位置まで搬送させた後にスキャナ部モータ及び一時保留部モータを停止させる。１枚の小切手ＣＫを一時保留部７に保留させると、制御部３は入金読取処理を完了する。
【００８９】
このとき制御部３は、スキャナ部６において読み取った小切手ＣＫの磁気文字ＭＩＣＲ、入金読取時裏面画像データ及び入金読取時表面画像データを操作表示部に表示し、取引内容の確認を利用者に促し、入金処理を継続するか否かを利用者に選択させる。
【００９０】
［１−４−２．入金収納処理］
［１−４−２−１．取引情報印字動作］
制御部３は、利用者により取引内容が承認され入金処理の継続が指示された場合、入金収納処理を開始する。具体的に制御部３は、印字トリガセンサ５８、一時保留部受渡センサ６０及び一時保留部残留センサ６１（図１）により小切手ＣＫを監視しつつ、スキャナ部モータ及び一時保留部モータを逆転させて図２４に示すように、一時保留部７から一時保留部搬送路４０へ向けて小切手ＣＫを繰り出す。このとき第２切替部４５は、スキャナ部６と一時保留部７とを結び第２搬送路３８と一時保留部搬送路４０との間で小切手ＣＫを搬送させる搬送経路を形成しているため、小切手ＣＫは、図２５に示すように、一時保留部搬送路４０から第２切替部４５を介し第２搬送路３８へ搬送されスキャナ部６へ搬送される。
【００９１】
印字トリガセンサ５８で小切手ＣＫの入金収納時搬送方向の先端を検出することによりスキャナ部６に小切手ＣＫが搬送されたことを認識すると、制御部３は、スキャナ部モータを逆転させることにより搬送ローラ５６を戻し回転方向に回転させ、第２搬送路３８に沿って小切手ＣＫを後受渡口６Ｂへ向かって搬送させつつ、印字トリガセンサ５８とプリンタ５５との距離と、小切手ＣＫの搬送速度とから算出したウエイト時間だけ待機した後、プリンタ５５により小切手裏面に取引情報を印字すると共に、スタンプ５４により小切手表面にスタンプ押印を行う。
【００９２】
［１−４−２−２．印字濃度及び印字不良確認動作］
続いて制御部３は、第２搬送路３８に沿って小切手ＣＫをさらに後受渡口６Ｂへ向かって搬送させつつ、裏面画像読取部５３Ｒ及び表面画像読取部５３Ｓにより、それぞれ小切手裏面及び小切手表面の画像を読み取り、収納時画像としての入金収納時裏面画像データ及び入金収納時表面画像データとして記憶部に記憶させる。このように小切手処理機１は、取引情報を未印字の画像である読取時画像と、取引情報を字後の画像である収納時画像との両方を取引記録として保管する。
【００９３】
続いて制御部３は、入金読取処理において記憶部に記憶させた画像データと、現在の入金収納処理において記憶部に記憶させた画像データとを比較して差分値を算出することにより、印字濃度の判定を行う。
【００９４】
具体的に制御部３は、プリンタ５５により取引情報が印字された小切手裏面の入金読取時裏面画像データと入金収納時裏面画像データとの差分値であるプリンタ印字差分値を算出し、該プリンタ印字差分値を、予め設定されたプリンタ印字濃度判定値と比較することにより、印字された取引情報の印字濃度を判定する。制御部３は、プリンタ印字差分値がプリンタ印字濃度判定値よりも小さい場合、インクが終了する直前の状態であるインクニアエンドと判定し、小切手受付装置の主制御部に通知する。
【００９５】
小切手受付装置の主制御部は、プリンタ５５のインクニアエンドと通知されると、通知されてから予め設定された所定枚数又は所定文字数だけ印字後、印字濃度が不足しているためプリンタ５５のインクが終了したインクエンドとなったと判定して以後の取引を停止し、保守員に報知を行うことにより、プリンタ５５にインクを補充させる。
【００９６】
また制御部３は、スタンプ５４により取引情報が押印された小切手表面の入金読取時表面画像データと入金収納時表面画像データとの差分値であるスタンプ押印差分値を算出し、該スタンプ押印差分値を、予め設定されたスタンプ押印濃度判定値と比較することにより、押印された取引情報の押印濃度を判定する。制御部３は、スタンプ押印差分値がスタンプ押印濃度判定値よりも小さい場合、インクが終了する直前の状態であるインクニアエンドと判定し、小切手受付装置の主制御部に通知する。
【００９７】
小切手受付装置の主制御部は、スタンプ５４のインクニアエンドと通知されると、通知されてから予め設定された所定枚数又は所定回数だけ押印後、押印濃度が不足しているためスタンプ５４のインクが終了したインクエンドとなったと判定して以後の取引を停止し、保守員に報知を行うことにより、スタンプ５４にインクを補充させる。
【００９８】
このように制御部３は、収納時画像における、取引情報印字部６６において行われた印字の濃度を、所定の判定濃度値と比較して、該判定濃度値よりも低い場合に、取引情報印字部６６のインクが終了する直前の状態であるインクニアエンドと判定するようにした。
【００９９】
続いて制御部３は、入金読取時裏面画像データと入金収納時裏面画像データとの差分を算出して、印字された文字の形状を求め、この形状を、予め記憶されたフォントデータと比較することにより、プリンタ５５の動作不良やノズル詰まりによる印字不良が発生したか否かの判定を行い、印字不良と判定した場合、小切手受付装置の主制御部に通知する。小切手受付装置の主制御部は、プリンタ５５の印字不良と通知されると、以後の取引を停止し、保守員に報知を行う。
【０１００】
続いて制御部３は、入金読取時表面画像データと入金収納時表面画像データとの差分を算出して、押印されたスタンプの押印結果の形状を求め、この形状を、予め記憶されたスタンプ形状と比較することにより、スタンプ５４の押印不良が発生したか否かの判定を行い、押印不良と判定した場合、小切手受付装置の主制御部に通知する。小切手受付装置の主制御部は、スタンプ５４の押印不良と通知されると、取引を停止し、保守員に報知を行う。このように制御部３は、プリンタ５５の印字不良又はスタンプ５４の押印不良である印字不良が発生した場合、以後の取引を停止する。
【０１０１】
［１−４−２−３．小切手収納庫搬送動作］
続いて制御部３は、磁気文字読取部ヘッド５２による磁気文字ＭＩＣＲの読み取りを行うことなく、搬送ローラ５６により小切手ＣＫを第１切替部４４まで搬送させる。このとき第１切替部４４は、スキャナ部６と小切手収納庫９とを結び第２搬送路３８と第３搬送路３９との間で小切手ＣＫを搬送させる搬送経路を形成しているため、小切手ＣＫは、第２搬送路３８から第１切替部４４を介し第３搬送路３９へ搬送され、第３切替部４６へ到達する。このとき第３切替部４６は、小切手ＣＫの種類に応じて、スキャナ部６と例えば小切手収納庫９Ａとを結び第２搬送路３８から小切手収納庫第１搬送路４２Ａへ小切手ＣＫを搬送させる搬送経路を形成しているため、小切手ＣＫは、図２６に示すように、第３搬送路３９から第３切替部４６を介し小切手収納庫第１搬送路４２Ａへ搬送される。続いて制御部３は、小切手ＣＫを小切手収納庫第１搬送路４２Ａに沿って小切手収納庫９Ａまで搬送させ、図２７に示すように、該小切手収納庫９Ａ内に放出させる。
【０１０２】
このように入金処理において利用者が取引内容を承認した場合、小切手処理機１は、入金収納処理を開始し、小切手裏面に取引内容の印字を行うと共に小切手表面にスタンプを押印した後、小切手ＣＫを小切手収納庫９に搬送して集積する。
【０１０３】
また小切手処理機１は、入金収納時搬送方向に沿って小切手ＣＫを搬送させつつプリンタ５５により小切手裏面に取引情報を印字すると共にスタンプ５４により小切手表面にスタンプ押印を行った後に、小切手裏面及び小切手表面の画像を読み取り、入金読取処理時に取得した画像との差分を取り、印字濃度の判定を行うことにより、インクエンド、すなわちインク残量が所定値以下であるか否かを認識するようにした。すなわち小切手処理機１は収納時画像における取引情報印字部６６において行われた印字の濃度が所定の濃度よりも薄い場合に、取引情報印字部６６におけるインク残量が所定値以下であると判定するようにした。
【０１０４】
［１−５．返却処理］
［１−５−１．返却時搬送動作］
一方、入金読取処理完了後に利用者により取引内容が承認されず入金処理の中止が指示された場合、制御部３は返却処理を開始する。具体的に制御部３は、印字トリガセンサ５８、一時保留部受渡センサ６０及び一時保留部残留センサ６１により小切手ＣＫを監視しつつ、スキャナ部モータ及び一時保留部モータを逆転させて図２８に示すように、一時保留部７から一時保留部搬送路４０へ向けて小切手ＣＫを繰り出す。このとき第２切替部４５は、スキャナ部６と一時保留部７とを結び第２搬送路３８と一時保留部搬送路４０との間で小切手ＣＫを搬送させる搬送経路を形成しているため、小切手ＣＫは、図２９に示すように、一時保留部搬送路４０から第２切替部４５を介し第２搬送路３８へ搬送されスキャナ部６へ搬送される。
【０１０５】
印字トリガセンサ５８で小切手ＣＫの返却時搬送方向の先端を検出することによりスキャナ部６に小切手ＣＫが搬送されたことを認識すると、制御部３は、スキャナ部モータを逆転させることにより搬送ローラ５６を戻し回転方向に回転させ、第２搬送路３８に沿ってプリンタ５５による印字とスタンプ５４によるスタンプ押印とを行うことなく小切手ＣＫを後受渡口６Ｂへ向かって搬送させる。
【０１０６】
続いて制御部３は、画像読取部５３による小切手ＣＫの画像の読み取りと磁気文字読取部ヘッド５２による磁気文字ＭＩＣＲの読み取りとを行うことなく、搬送ローラ５６により小切手ＣＫを第１切替部４４まで搬送させる。このとき第１切替部４４は、スキャナ部６とアライナ部５とを結び第２搬送路３８と第１搬送路３７との間で小切手ＣＫを搬送させる搬送経路を形成しているため、小切手ＣＫは、図３０に示すように第２搬送路３８から第１切替部４４を介し第１搬送路３７へ搬送され、アライナ部５へ到達する。
【０１０７】
続いて制御部３は、アライナモータを逆転させることにより搬送ローラ２８、駆動ローラ２９及び搬送ローラ３０を戻し回転方向へ回転させ、小切手ＣＫを入金部４に向かって搬送させる。このとき制御部３は、図１２（Ａ）に示すようにそれぞれ束搬送部１０を載置ポジションに、ピッカプレス１６をホームポジションに、部分舌片２３を集積ポジションにすることにより、図１２（Ｂ）に示すように集積回転方向側の部分舌片２３を、未分離の小切手束ＣＫＢの上に当接させると共に、取込回転方向側の部分舌片２３を、該小切手束ＣＫＢの上面よりも上方へ浮かせた状態とし、小切手束ＣＫＢの上に小切手ＣＫを集積させる準備を行う。これにより分離部１５は、未分離の小切手束ＣＫＢが小切手ＣＫの折れ癖等により浮き上がって繰出取込口４Ｂを塞がないように押さえると共に、アライナ部５から搬送され分離部１５に放出される小切手ＣＫを、未分離の小切手束ＣＫＢよりも上側に押し上げてコシをつけ、該小切手束ＣＫＢに引っ掛からないようにさせる。
【０１０８】
［１−５−２．集積動作］
続いて制御部３は、アライナ部５から繰出取込口４Ｂを介し図１２（Ｃ）及び図３１に示すように部分舌片２３の上側へ小切手ＣＫを放出する。このとき制御部３は、分離部残留センサ３４により小切手ＣＫの位置を監視し、該分離部残留センサ３４で小切手ＣＫの返却時搬送方向の後端を検出した際に分離部モータ２０（図５）を減速させることにより、未分離の小切手束ＣＫＢの上方で小切手ＣＫを停止させ、小切手ＣＫが前方へ飛び過ぎないようにする。制御部３は、小切手ＣＫが未分離の小切手束ＣＫＢの上方において部分舌片２３に載ったところで、分離部モータ２０を停止させることによりフィードローラ１７、リバースローラ１８及びピッカローラ１９を停止させる。
【０１０９】
続いて制御部３は、図１２（Ｄ）の状態から、部分舌片モータ２４により部分舌片２３を集積回転方向へ回転させることにより部分舌片２３を一回転させ、図１３に示すように、放出された小切手ＣＫを未分離の小切手束ＣＫＢの上に載置させる。
【０１１０】
［１−５−３．束排出動作］
分離部１５に返却された小切手ＣＫの集積完了後、制御部３は、小切手処理機１の設定や利用者の選択に基づき、小切手束ＣＫＢにおける小切手ＣＫの再読取動作か、又は小切手束ＣＫＢの利用者への束排出動作を行う。再読取動作を行う場合制御部３は、上述した入金読取処理と同様の処理を再度行う。
【０１１１】
一方束排出動作を行う場合制御部３は、図１４に示すように束搬送部１０を把持ポジションにすることにより小切手束ＣＫＢを把持させると共にピッカプレス１６をホームポジションにし、入金部４のシャッタ４Ｓを上昇させることにより入出金口４Ｆを開放させ、束搬送部１０を排出回転方向へ回転させて返却束搬送動作を行い図３２に示すように該小切手束ＣＫＢを前方へ搬送させ、図３３に示すように小切手束ＣＫＢの返却時搬送方向の先端を入出金口４Ｆから前方へ露出させ、利用者へ受け渡し、利用者に対し小切手ＣＫの確認を促す。
【０１１２】
このとき制御部３は、シャッタ部残留センサ１１（図１４）により小切手束ＣＫＢの先端を検出し、小切手束ＣＫＢの先端を利用者が掴める位置までそこから規定量だけ該小切手束ＣＫＢを搬送させてから束搬送部回転モータを停止させる。このとき制御部３は、挿入検知センサ１３も並行して監視し、小切手束ＣＫＢを前方へ搬送中に挿入検知センサ１３の検知結果が明状態となったときは、小切手束ＣＫＢが入出金口４Ｆから小切手処理機１の外側へ落下する危険性があるため、束搬送部回転モータを緊急停止する。これにより制御部３は、小切手束ＣＫＢを前方である排出方向に送りすぎて落下させないようにする。続いて制御部３は、小切手束ＣＫＢを受け取る旨を示すガイダンス画面を操作表示部に表示する。
【０１１３】
またこのとき制御部３は、挿入検知センサ１３及びシャッタ部残留センサ１１のセンサ状態変化を監視する。具体的に制御部３は、挿入検知センサ１３の検知結果が暗状態になっているにも関わらずシャッタ部残留センサ１１の検知結果が暗状態から明状態に変化した場合、すなわち挿入検知センサ１３により小切手束ＣＫＢを検出しているにも関わらずシャッタ部残留センサ１１を小切手ＣＫが通過した場合、利用者が小切手ＣＫを引き抜いたが小切手束ＣＫＢが未だ束搬送部１０に残留していることになるため、束排出動作を再度行う。
【０１１４】
制御部３は、このような束排出動作を、挿入検知センサ１３及びシャッタ部残留センサ１１の双方の検知結果が明状態になるまで繰り返す。挿入検知センサ１３及びシャッタ部残留センサ１１の双方の検知結果が明状態になると、制御部３は、分離部残留センサ３４の検知結果が明状態であることを確認することにより、分離部１５内に小切手束ＣＫＢが残留していないことを認識する。さらに制御部３は、束搬送部１０を排出回転方向へ回転させると共に分離部１５を集積モードとさせつつ、分離部残留センサ３４及びシャッタ部残留センサ１１を監視し、分離部残留センサ３４及びシャッタ部残留センサ１１何れの検知結果も暗状態にならないことを確認する。これにより制御部３は、分離部１５及び入金部４内に小切手束ＣＫＢが残留していないことを認識して返却処理を終了する。
【０１１５】
このように入金処理において利用者が取引内容をキャンセルした場合、小切手処理機１は、返却処理を開始し、入金読取処理時の搬送経路を逆方向に入金部４まで搬送して小切手ＣＫを分離部１５に集積し、未分離の小切手束ＣＫＢと一緒に利用者に返却するようにした。この処理は、磁気文字の読み取り不良により入金処理がリトライオーバーになった場合にも実行される。
【０１１６】
［１−６．効果等］
以上の構成において小切手処理機１は、第１搬送路３７と第２搬送路３８とを側面視略Ｃ字形状に配置し、受入方向である後方向に向かって入金部４から受け入れた小切手束ＣＫＢから分離させた小切手ＣＫを第１搬送路３７に沿って後方である受入搬送方向へ向かって搬送し、搬送経路を屈曲させて下方へ向かって進行させると共に、受入方向及び受入搬送方向に対し小切手ＣＫの搬送方向が反転し前方である受入反転方向に向かって搬送される箇所である第１切替部４４よりも入金読取時搬送方向の下流側における第２搬送路３８においてスキャナ部６を設け、該スキャナ部６よりも入金読取時搬送方向の下流側に一時保留部７を設けるようにした。これにより小切手処理機１は、第１搬送路３７と第２搬送路３８との少なくとも一部を上下方向に重なるように配置することにより搬送路の前後長を短くし、搬送路の構成を簡素にできる。
【０１１７】
また従来の小切手処理機においては、入金読取処理における入金部から一時保留部までの搬送路と、返却処理における一時保留部から入金部までの搬送路とが異なるものがあった。しかしながらそのような小切手処理機の場合、搬送路全体が長く複雑になってしまい、小切手が搬送中に詰まるジャムが発生した際に、該小切手が発見されにくくなり除去されにくくなる可能性があった。
【０１１８】
これに対し小切手処理機１は、入金読取時搬送方向と返却時搬送方向とを同一の搬送路における逆方向とする、すなわち、入金読取処理において入金部４から第１搬送路３７及び第２搬送路３８を順次搬送され一時保留部７に保留された小切手ＣＫを、返却処理において同じ搬送路である第２搬送路３８及び第１搬送路３７を順次逆方向に搬送させて入金部４へ搬送し利用者に返却するようにした。これにより小切手処理機１は、搬送路を短く簡素に構成でき、ジャム発生時に小切手ＣＫを発見させやすくし容易に除去させることができる。
【０１１９】
また従来の小切手処理機においては、一時保留部に対する入金収納時搬送方向の下流側にプリンタ及びスタンプ等の取引情報印字部が配置されるものの、該取引情報印字部のさらに入金収納時搬送方向の下流側には画像読取部が配置されていないものがあった。このような小切手処理機では、取引情報印字部により正常に印字が行われたか否かを画像読取部により検出することができない。このためこのような小切手処理機では、取引情報印字部でインク切れが発生した場合には、必要な情報が判読不能な状態になった小切手が小切手収納庫に格納されてしまい、小切手の取引内容について問い合わせがあって現物確認が行われる際に、取引情報について不明な部分が残る問題があった。
【０１２０】
そのためそのような小切手処理機では、インク切れになる前にインク交換を促すため、印字文字数や印字枚数等をカウントすることで取引情報印字部のインクの寿命を管理し、インク残量が所定値以下であると判定した場合、アラームを上げるようにしているが、印字する文字及び押印の種類や小切手の紙の種類や温度環境等によってインクの減り方が異なるため、取引情報印字部におけるインクタンクのインクが残っているうちに余裕をもってアラームを上げる必要があり、残りのインクが無駄になっていた。またそのような小切手処理機では、インク切れになってない場合であっても、インクノズルの詰まりやヘッドの動作不良等により印字不良になった場合、印字文字数や印字枚数等を管理するだけでは、印字が正常に行われたことを保証することにならないため、インク切れと同様に、取引情報について判読不能な部分が残る問題があった。
【０１２１】
これに対し小切手処理機１は、一時保留部７に対する入金収納時搬送方向の下流側にプリンタ５５及びスタンプ５４を配置すると共に、該プリンタ５５及びスタンプ５４のさらに入金収納時搬送方向の下流側に画像読取部５３を配置し、該画像読取部５３においてプリンタ５５及びスタンプ５４の印字結果を検出するようにした。このため小切手処理機１は、インクが少なくなって印字又は押印が薄くなっていることを、印字した文字数やスタンプ押印回数をカウントするのではなく、実物の印字状態又は押印状態を確認することにより検出することができる。また小切手処理機１は、プリンタ５５の印字不良とスタンプ５４の押印不良とを検出できるため、取引情報の印字及び押印が正常に行われたことを保証できる。また小切手処理機１は、実物の印字状態又は押印状態を確認することにより取引情報印字部６６のインク残量を高精度に検出できるため、取引情報印字部６６におけるインクがなくなるまで使用できインクを無駄にしないようにできる。
【０１２２】
また小切手処理機１は、集積回転方向に回転可能な部分舌片２３を分離部１５に設け、集積動作において、図１２（Ｂ）に示したように集積回転方向側の部分舌片２３を未分離の小切手束ＣＫＢの上に当接させると共に、取込回転方向側の部分舌片２３を、該小切手束ＣＫＢの上面よりも上方へ浮かせた状態とさせるようにした。これにより小切手処理機１は、未分離の小切手束ＣＫＢを押さえると共に、分離部１５に放出される小切手ＣＫを、未分離の小切手束ＣＫＢよりも上側に押し上げてコシをつけ、該小切手束ＣＫＢに引っ掛からないようにさせ、小切手束ＣＫＢの上に小切手ＣＫを安定的に集積させることができる。
【０１２３】
以上の構成によれば小切手処理機１は、紙葉状の媒体である小切手ＣＫを受入方向である後方向に沿って受け入れる入金部４と、入金部４と接続され小切手ＣＫを搬送する第１搬送路３７と、第１搬送路３７に設けられ、搬送される小切手ＣＫを搬送幅方向に幅寄せするアライナ部５と、第１搬送路３７と接続され、小切手ＣＫを搬送する第２搬送路３８と、第２搬送路３８において受入方向に対し搬送方向が反転した箇所よりも小切手ＣＫの下流側に設けられ、小切手ＣＫに取引情報の印字を行うスキャナ部６と、スキャナ部６を挟んで第１搬送路３７と反対側において第２搬送路３８と接続され、小切手ＣＫを一時的に保留すると共に繰り出す一時保留部７とを設けるようにした。
【０１２４】
これにより小切手処理機１は、第１搬送路３７と第２搬送路３８との少なくとも一部を上下方向に重なるように配置し、搬送路が前後方向に占める空間を小さくできる。
【０１２５】
［２．他の実施の形態］
なお上述した実施の形態においては、筐体２内の前側において上から下に向かって順に入金部４、一時保留部７及び小切手収納庫９Ｂが配置され、筐体２内の後側において上から下に向かって順にアライナ部５、スキャナ部６、取忘れ回収部８及び小切手収納庫９Ａが配置される小切手処理機１に本発明を適用する場合について述べた。本発明はこれに限らず、筐体２内の各部の配置を上下反転させ、筐体２内の前側において下から上に向かって順に入金部４、一時保留部７及び小切手収納庫９Ｂが配置され、筐体２内の後側において下から上に向かって順にアライナ部５、スキャナ部６、取忘れ回収部８及び小切手収納庫９Ａが配置される小切手処理機に本発明を適用しても良い。その場合、第１搬送路３７は、繰出取込口４Ｂから後方へ向かって進行し屈曲して上方へ向かってスキャナ部６の後方まで進行し、第１切替部４４と接続されることとなる。
【０１２６】
さらに上述した実施の形態においては、プリンタ５５及びスタンプ５４をスキャナ部６に設ける場合について述べた。本発明はこれに限らず、プリンタ５５及びスタンプ５４は、第２搬送路３８におけるスキャナ部６と第２切替部４５との間や、第２搬送路３８におけるスキャナ部６と第１切替部４４との間や、一時保留部搬送路４０や、一時保留部７内等、種々の箇所に設けても良い。要はプリンタ５５及びスタンプ５４は、小切手ＣＫが入金部４からアライナ部５へ搬送されて受入方向に対し搬送方向が反転した後から、一時保留部７までの間に設けられていれば良い。
【０１２７】
さらに上述した実施の形態においては、プリンタ５５及びスタンプ５４の両方を設ける場合について述べた。本発明はこれに限らず、プリンタ５５及びスタンプ５４の何れか一方は省略しても良い。要は、利用済みであることを示す情報の記録を小切手ＣＫに対し行う機構を設ければ良い。
【０１２８】
さらに上述した実施の形態においては、入金読取処理において記憶部に記憶させた画像データと、入金収納処理において記憶部に記憶させた画像データとを比較して差分値を算出することにより、印字濃度の判定を行う場合について述べた。本発明はこれに限らず、入金読取処理よりも前に予め記憶部に記憶させた画像データと、入金収納処理において記憶部に記憶させた画像データとを比較して差分値を算出することにより、印字濃度の判定を行っても良い。
【０１２９】
さらに上述した実施の形態において、インクニアエンドを検出すると、検出してから予め設定された所定枚数又は所定文字数だけ印字後、インクエンドと判定して取引を停止する場合について述べた。本発明はこれに限らず、インクニアエンドを検出してから、例えばプリンタ印字差分値とプリンタ印字濃度判定値との差の大小に応じた可変の値の所定枚数又は所定文字数だけ印字後、インクエンドと判定して取引を停止しても良い。さらに、プリンタ印字差分値がプリンタ印字濃度ニアエンド判定値よりも小さい場合はインクニアエンドであると判定し、プリンタ印字差分値がプリンタ印字濃度ニアエンド判定値よりも小さいエンド判定濃度値としてのプリンタ印字濃度エンド判定値よりも小さい場合はインクエンドであると判定しても良い。スタンプについても同様である。
【０１３０】
さらに上述した実施の形態においては、取忘れ回収部８を設ける場合について述べた。本発明はこれに限らず、取忘れ回収部８は設けず省略しても良い。
【０１３１】
さらに上述した実施の形態においては、テープエスクロ方式の一時保留部７を設ける場合について述べた。本発明はこれに限らず、搬送路を一時保留部として利用し、該搬送路上に小切手ＣＫを一時的に保留しても良い。その際、一時保留部は、搬送路上に小切手ＣＫを１枚のみ保持するものでも複数枚保持するものでも良い。
【０１３２】
さらに上述した実施の形態においては、２個の小切手収納庫９を設ける場合について述べた。本発明はこれに限らず、１個又は３個以上の任意の個数の小切手収納庫９を設けても良い。
【０１３３】
さらに上述した実施の形態においては、第１切替部４４を、小切手ＣＫの搬送方向を２通りに切り替える、いわゆる２ウェイブレードとする場合について述べた。本発明はこれに限らず、第１切替部４４を、アライナ部５とスキャナ部６とを結ぶ搬送経路か、小切手収納庫９とスキャナ部６とを結ぶ搬送経路か、アライナ部５と小切手収納庫９とを結ぶ搬送経路かを形成し、小切手ＣＫの搬送方向を３通りに切り替える、いわゆる３ウェイブレードとしても良い。
【０１３４】
さらに上述した実施の形態においては、第２切替部４５を、小切手ＣＫの搬送方向を２通りに切り替える、いわゆる２ウェイブレードとする場合について述べた。本発明はこれに限らず、第２切替部４５を、スキャナ部６と取忘れ回収部８とを結ぶ搬送経路か、スキャナ部６と一時保留部７とを結ぶ搬送経路か、取忘れ回収部８と一時保留部７とを結ぶ搬送経路かを形成し、小切手ＣＫの搬送方向を３通りに切り替える、いわゆる３ウェイブレードとしても良い。
【０１３５】
さらに上述した実施の形態においては、重送を検出した場合、二重検知リトライ動作を行う場合について述べた。本発明はこれに限らず、重送を検出した場合、二重検知リトライ動作を行わずに、入金部４に戻した小切手ＣＫを含む小切手束ＣＫＢを利用者に返却しても良い。
【０１３６】
さらに上述した実施の形態においては、アライナ不良を検出した場合、アライナ不良リトライ動作を行う場合について述べた。本発明はこれに限らず、アライナ不良を検出した場合、アライナ不良リトライ動作を行わずに、小切手ＣＫを入金部４に戻し、該入金部４に戻した小切手ＣＫを含む小切手束ＣＫＢを利用者に返却しても良い。
【０１３７】
さらに上述した実施の形態においては、アライナ不良を検出した場合、アライナモータの送り量を監視することにより小切手ＣＫを入金部４に向かって所定距離だけ搬送する場合について述べた。本発明はこれに限らず、アライナ部５内に設けられた種々のセンサで例えば小切手ＣＫの搬送距離を監視することにより、小切手ＣＫを所定距離だけ搬送しても良い。
【０１３８】
さらに上述した実施の形態においては、プリンタ５５をインクジェットプリンタにより構成する場合について述べた。本発明はこれに限らず、プリンタ５５をドットインパクトプリンタ等、種々の方式のプリンタにより構成しても良い。
【０１３９】
さらに上述した実施の形態においては、入金部４に投入された小切手束ＣＫＢから１枚の小切手ＣＫを一時保留部７に保留させると入金読取処理を完了し、入金収納処理又は返却処理に移行する場合について述べた。本発明はこれに限らず、入金部４に投入された小切手束ＣＫＢの全ての小切手ＣＫを一時保留部７に保留させると、スキャナ部６において読み取った全ての小切手ＣＫの磁気文字ＭＩＣＲ及び画像を操作表示部に表示して取引内容の確認を利用者に促し、入金処理を継続するか否かを利用者に選択させ、入金読取処理を完了し、入金収納処理又は返却処理に移行しても良い。
【０１４０】
さらに上述した実施の形態においては、小切手ＣＫを処理する小切手処理機１に本発明を適用する場合について述べた。しかしながら本発明はこれに限らず、例えば種々の金券や証券、或いは各種チケットなど、紙葉状の媒体を処理し該媒体に取引情報の印字を行う種々の装置に適用しても良い。
【０１４１】
さらに上述した実施の形態においては、受入部としての入金部４と、第１搬送路としての第１搬送路３７と、幅寄せ部としてのアライナ部５と、第２搬送路としての第２搬送路３８と、取引情報印字部としての取引情報印字部６６と、一時保留部としての一時保留部７とによって、媒体処理装置としての小切手処理機１を構成する場合について述べた。しかしながら本発明はこれに限らず、その他種々の構成でなる受入部と、第１搬送路と、幅寄せ部と、第２搬送路と、取引情報印字部と、一時保留部とによって、媒体処理装置を構成しても良い。
【産業上の利用可能性】
【０１４２】
本発明は、例えば取引情報を印字した媒体を一時保留部に保留し、利用者の操作に応じこの媒体を収納又は返却する装置でも利用できる。
【符号の説明】
【０１４３】
１……小切手処理機、２……筐体、３……制御部、４……入金部、４Ｆ……入出金口、４Ｂ……繰出取込口、４Ｓ……シャッタ、５……アライナ部、６……スキャナ部、６Ｆ……前受渡口、６Ｂ……後受渡口、７……一時保留部、８……取忘れ回収部、９……小切手収納庫、１０……束搬送部、１０Ｕ……上側搬送ベルト、１０Ｄ……下側搬送ベルト、１１……シャッタ部残留センサ、１２……金属検知センサ、１３……挿入検知センサ、１４……束搬送検知センサ、１５……分離部、１６……ピッカプレス、１７……フィードローラ、１７Ｇ……フィードローラギア、１７Ｇｏ……外側ギア、１７Ｇｉ……内側ギア、１７Ｓ……フィードローラシャフト、１８……リバースローラ、１８ＧＲ……右側リバースローラギア、１８ＧＬ……左側リバースローラギア、１８Ｓ……リバースローラシャフト、１９……ピッカローラ、１９Ｓ……ピッカローラシャフト、１９Ｇ……ピッカローラギア、２０……分離部モータ、２１ＧＲ……アイドルギア、２１ＧＬ……２段アイドルギア、２３……部分舌片、２４……部分舌片モータ、２５……部分舌片ホームポジションセンサ、２６……テーパローラ、２７……基準面、２８……搬送ローラ、２９……駆動ローラ、３０……搬送ローラ、３２……第１センサ、３３……二重検知センサ、３４……分離部残留センサ、３５……アライナ完了検知センサ、３６……搬送路、３７……第１搬送路、３８……第２搬送路、３９……第３搬送路、４０……一時保留部搬送路、４１……取忘れ回収部搬送路、４２Ａ……小切手収納庫第１搬送路、４２Ｂ……小切手収納庫第２搬送路、４４……第１切替部、４５……第２切替部、４６……第３切替部、４８……ブレード、４９……ブレード、５０……ブレード、５２……磁気文字読取部ヘッド、５３……画像読取部、５３Ｒ……裏面画像読取部、５３Ｓ……表面画像読取部、５４……スタンプ、５５……プリンタ、５６……搬送ローラ、５７……磁気文字読取部トリガセンサ、５８……印字トリガセンサ、６０……一時保留部受渡センサ、６１……一時保留部残留センサ、６４……取忘回収部受渡センサ、６６……取引情報印字部、６７……後中搬送部、６８……後下搬送部、６９……下搬送部、ＣＫ……小切手、ＣＫＢ……小切手束、ＭＩＣＲ……磁気文字、ＡＭＩＣＲ……磁気文字領域、ＭＳ……磁気文字側長辺、ＡＷ……空白領域、ＡＷ１……第１空白領域、ＡＷ２……第２空白領域。
【図１】
2017182659.tif 000003
【図２】
2017182659.tif 000004
【図３】
2017182659.tif 000005
【図４】
2017182659.tif 000006
【図５】
2017182659.tif 000007
【図６】
2017182659.tif 000008
【図７】
2017182659.tif 000009
【図８】
2017182659.tif 000010
【図９】
2017182659.tif 000011
【図１０】
2017182659.tif 000012
【図１１】
2017182659.tif 000013
【図１２】
2017182659.tif 000014
【図１３】
2017182659.tif 000015
【図１４】
2017182659.tif 000016
【図１５】
2017182659.tif 000017
【図１６】
2017182659.tif 000018
【図１７】
2017182659.tif 000019
【図１８】
2017182659.tif 000020
【図１９】
2017182659.tif 000021
【図２０】
2017182659.tif 000022
【図２１】
2017182659.tif 000023
【図２２】
2017182659.tif 000024
【図２３】
2017182659.tif 000025
【図２４】
2017182659.tif 000026
【図２５】
2017182659.tif 000027
【図２６】
2017182659.tif 000028
【図２７】
2017182659.tif 000029
【図２８】
2017182659.tif 000030
【図２９】
2017182659.tif 000031
【図３０】
2017182659.tif 000032
【図３１】
2017182659.tif 000033
【図３２】
2017182659.tif 000034
【図３３】
2017182659.tif 000035